(57)【要約】  モビリティ管理エンティティの変更の期間中にコアネットワークにおいてネットワーク機能（NF）利用情報をソースモビリティ管理エンティティと通信する、ターゲットモビリティ管理エンティティのための方法、及び当該方法を実行するためのターゲットモビリティ管理エンティティがここに開示される。当該方法は、上記ターゲットモビリティ管理エンティティにより、上記ソースモビリティ管理エンティティから、ユーザ機器（UE）にサービスする旧NFエンティティに対応する少なくとも１つの旧NF識別子（ID）を受信することと、上記少なくとも１つの旧NF IDを使用するか又は上記旧NFエンティティと同じNFタイプの新NFエンティティに対応する少なくとも１つの新NF IDを使用するかを判定することと、上記ターゲットモビリティ管理エンティティにより、上記ソースモビリティ管理エンティティへ、上記ターゲットモビリティ管理エンティティが上記少なくとも１つの旧NF IDを使用するのか又は上記少なくとも１つの新NF IDを使用するのかを上記ソースモビリティ管理エンティティへ示す情報を通信することと、を含む。【選択図】図１５
2021530129.tif 000002
【特許請求の範囲】
【請求項１】
モビリティ管理エンティティの変更の期間中にコアネットワーク内のターゲットモビリティ管理エンティティがネットワーク機能（ＮＦ）利用情報をソースモビリティ管理エンティティと通信するための方法であって、
前記ターゲットモビリティ管理エンティティにより、前記ソースモビリティ管理エンティティから、ユーザ機器（ＵＥ）にサービスする旧ＮＦエンティティに対応する少なくとも１つの旧ＮＦ識別子（ＩＤ）を受信すること（１５００、５−１０）と、 
前記少なくとも１つの旧ＮＦ  ＩＤを使用するか又は前記旧ＮＦエンティティと同じＮＦタイプの新ＮＦエンティティに対応する少なくとも１つの新ＮＦ  ＩＤを使用するかを判定すること（１５０２、１０−１０）と、
前記ターゲットモビリティ管理エンティティにより、前記ソースモビリティ管理エンティティへ、前記ターゲットモビリティ管理エンティティが前記少なくとも１つの旧ＮＦ  ＩＤを使用するのか又は前記少なくとも１つの新ＮＦ  ＩＤを使用するのかを前記ソースモビリティ管理エンティティへ示す情報を通信すること（１５０４、１０−１０）と、
を含む方法。
【請求項２】
請求項１に記載の方法であって、前記ＮＦエンティティは、ショートメッセージサービス機能（ＳＭＳＦ）エンティティ、ポリシー制御機能（ＰＣＦ）エンティティ、及びセッション管理機能（ＳＭＦ）エンティティのうちの１つ以上を含む、方法。
【請求項３】
請求項１に記載の方法であって、前記ターゲットモビリティ管理エンティティは、ターゲットアクセス及びモビリティ管理機能（ＡＭＦ）エンティティを含み、前記ソースモビリティ管理機能は、ソースＡＭＦエンティティを含む、方法。
【請求項４】
請求項３に記載の方法であって、前記ターゲットモビリティ管理エンティティが前記少なくとも１つの旧ＮＦ  ＩＤを使用するのか又は前記少なくとも１つの新ＮＦ  ＩＤを使用するのかを前記ソースモビリティ管理エンティティへ示す前記情報を通信することは、
前記ターゲットＡＭＦエンティティにより、前記ソースＡＭＦエンティティへ、前記ターゲットＡＭＦエンティティが前記少なくとも１つの旧ＮＦ  ＩＤを使用するのか又は前記少なくとも１つの新ＮＦ  ＩＤを使用するのかを前記ソースＡＭＦエンティティへ示すNamf_Communication_CreateUEContext応答を送信すること、
を含む、方法。
【請求項５】
請求項４に記載の方法であって、Namf_Communication_CreateUEContextサービス操作を呼び出しながら、前記Namf_Communication_CreateUEContext応答を生成すること、をさらに含む、方法。
【請求項６】
請求項３に記載の方法であって、前記ターゲットＡＭＦエンティティが前記少なくとも１つの旧ＮＦ  ＩＤを使用するのか又は前記少なくとも１つの新ＮＦ  ＩＤを使用するのかを前記ソースＡＭＦエンティティへ示す前記情報を通信することは、
前記ターゲットＡＭＦエンティティにより、無線アクセスノード（ＲＡＮ）からハンドオーバ通知を受信することと、
前記ターゲットＡＭＦエンティティにより、前記ハンドオーバ通知に応じて、前記ターゲットＡＭＦエンティティが前記少なくとも１つの旧ＮＦ  ＩＤを使用するのか又は前記少なくとも１つの新ＮＦ  ＩＤを使用するのかを前記ソースＡＭＦエンティティへ示すNamf_Communication_N2InfoNotifyサービス操作を呼び出すことと、
を含む、方法。
【請求項７】
請求項３に記載の方法であって、前記ターゲットＡＭＦエンティティが前記少なくとも１つの旧ＮＦ  ＩＤを使用するのか又は前記少なくとも１つの新ＮＦ  ＩＤを使用するのかを前記ソースＡＭＦエンティティへ示す前記情報を通信することは、
前記ターゲットＡＭＦエンティティにより、前記ターゲットＡＭＦエンティティが前記少なくとも１つの旧ＮＦ  ＩＤを使用するのか又は前記少なくとも１つの新ＮＦ  ＩＤを使用するのかを前記ソースＡＭＦエンティティへ示すNamf_Communication_RegistrationCompleteNotifyサービス操作を呼び出すこと、
を含む、方法。
【請求項８】
請求項１に記載の方法であって、前記少なくとも１つの旧ＮＦ  ＩＤを使用するか又は前記旧ＮＦエンティティと同じＮＦタイプの前記新ＮＦエンティティに対応する前記少なくとも１つの新ＮＦ  ＩＤを使用するかを判定することは、前記少なくとも１つの旧ＮＦ  ＩＤを使用するか又は前記旧ＮＦエンティティと同じＮＦタイプの前記新ＮＦエンティティに対応する前記少なくとも１つの新ＮＦ  ＩＤを使用するかを判定するためにＮＦサービス発見機能を実行すること、を含む、方法。
【請求項９】
モビリティ管理エンティティの変更の期間中にコアネットワーク内のソースモビリティ管理エンティティがネットワーク機能（ＮＦ）利用情報をターゲットモビリティ管理エンティティから受信するための方法であって、
前記ソースモビリティ管理エンティティにより、前記ターゲットモビリティ管理エンティティへ、ユーザ機器（ＵＥ）にサービスする旧ＮＦエンティティに対応する少なくとも１つの旧ＮＦ識別子（ＩＤ）を送信することと、
前記ソースモビリティ管理エンティティにより、前記ターゲットモビリティ管理エンティティから、前記ターゲットモビリティ管理エンティティが前記少なくとも１つの旧ＮＦ  ＩＤを使用するのか又は前記ＵＥにサービスする新ＮＦに対応する少なくとも１つの新ＮＦ  ＩＤを使用するのかを示す情報を受信することと、
を含む方法。
【請求項１０】
請求項９に記載の方法であって、前記ＮＦエンティティは、ショートメッセージサービス機能（ＳＭＳＦ）エンティティ、ポリシー制御機能（ＰＣＦ）エンティティ、及びセッション管理機能（ＳＭＦ）エンティティのうちの１つ以上を含む、方法。
【請求項１１】
請求項９に記載の方法であって、前記ターゲットモビリティ管理エンティティは、ターゲットアクセス及びモビリティ管理機能（ＡＭＦ）エンティティを含み、前記ソースモビリティ管理エンティティは、ソースＡＭＦエンティティを含む、方法。
【請求項１２】
請求項１１に記載の方法であって、前記情報は、前記ターゲットＡＭＦエンティティが新セッション管理機能（ＳＭＦ）ＩＤを使用していることを示し、
前記ソースＡＭＦエンティティにより、旧ＳＭＦエンティティに対し、前記旧ＳＭＦエンティティ内の既存のセッション管理（ＳＭ）コンテキストを解放するためにNsmf_PDUSession_ReleaseSMContextサービス操作を呼び出すこと、
をさらに含む、方法。
【請求項１３】
請求項１１に記載の方法であって、前記情報は、前記ターゲットＡＭＦエンティティが旧ＳＭＦ  ＩＤを使用していることを示し、
前記ソースＡＭＦエンティティによりローカルで、前記ソースＡＭＦエンティティ内の既存のセッション管理（ＳＭ）コンテキストを解放するための削除を行うこと、
をさらに含む、方法。
【請求項１４】
請求項１１に記載の方法であって、前記情報は、前記ターゲットＡＭＦエンティティが旧ポリシー制御機能（ＰＣＦ）ＩＤを使用していることを示し、
前記ソースＡＭＦエンティティにより、前記旧ＰＣＦ  ＩＤに対応する旧ＰＣＦエンティティのローカルでの解放を行うこと、
をさらに含む、方法。
【請求項１５】
請求項１４に記載の方法であって、前記情報は、前記ターゲットＡＭＦエンティティが新ＰＣＦ  ＩＤを利用していることを示し、
前記ソースＡＭＦエンティティにより、ＰＣＦエンティティへ、Npcf_AMPolicyControl_Deleteサービス操作を送信すること、
をさらに含む、方法。
【請求項１６】
請求項１１に記載の方法であって、前記情報は、前記ターゲットＡＭＦエンティティが旧ＳＭＳＦ  ＩＤを使用していることを示し、
前記ソースＡＭＦエンティティにより、前記旧ＳＭＳＦ  ＩＤに対応する旧ＳＭＳＦエンティティの関連付けコンテキストのローカルでの解放を行うこと、
をさらに含む、方法。
【請求項１７】
請求項１１に記載の方法であって、前記情報は、前記ターゲットＡＭＦエンティティが新ＳＭＳＦ  ＩＤを利用していることを示し、
前記ソースＡＭＦエンティティにより、旧ＳＭＳＦエンティティへ、前記旧ＳＭＳＦエンティティ上のＳＭＳ用のＵＥコンテキストの解放をトリガするためにNsmsf_SMService_Deactivateサービス操作を送信すること、
をさらに含む、方法。
【請求項１８】
モビリティ管理エンティティの変更の期間中にネットワーク機能（ＮＦ）利用情報をソースモビリティ管理エンティティと通信するためのターゲットモビリティ管理エンティティであって、前記ターゲットモビリティ管理機能ノードは、
１つ以上のプロセッサと、
前記１つ以上のプロセッサにより実行可能な命令群を記憶するメモリと、を備え、それにより前記ターゲットモビリティ管理エンティティは、
前記ターゲットモビリティ管理エンティティにより、前記ソースモビリティ管理エンティティから、ユーザ機器（ＵＥ）にサービスする旧ＮＦエンティティに対応する少なくとも１つの旧ＮＦ識別子（ＩＤ）を受信することと、
前記少なくとも１つの旧ＮＦ  ＩＤを使用するか又は前記旧ＮＦエンティティと同じＮＦタイプの新ＮＦエンティティに対応する少なくとも１つの新ＮＦ  ＩＤを使用するかを判定することと、
前記ターゲットモビリティ管理エンティティにより、前記ソースモビリティ管理エンティティへ、前記ターゲットモビリティ管理エンティティが前記少なくとも１つの旧ＮＦ  ＩＤを使用するのか又は前記少なくとも１つの新ＮＦ  ＩＤを使用するのかを前記ソースモビリティ管理エンティティへ示す情報を通信することと、
を有する方法を実行するように動作可能である、ターゲットモビリティ管理エンティティ。
【請求項１９】
モビリティ管理エンティティの変更の期間中にネットワーク機能（ＮＦ）利用情報をターゲットモビリティ管理エンティティから受信するためのソースモビリティ管理エンティティであって、前記ソースモビリティ管理エンティティは、
１つ以上のプロセッサと、
前記１つ以上のプロセッサにより実行可能な命令群を記憶するメモリと、を備え、それにより前ソースモビリティ管理エンティティは、
前記ソースモビリティ管理エンティティにより、前記ターゲットモビリティ管理エンティティへ、ユーザ機器（ＵＥ）にサービスする旧ＮＦエンティティに対応する少なくとも１つの旧ＮＦ識別子（ＩＤ）を送信することと、
前記ソースモビリティ管理エンティティにより、前記ターゲットモビリティ管理エンティティから、前記ターゲットモビリティ管理エンティティが前記少なくとも１つの旧ＮＦ  ＩＤを使用するのか又は前記ＵＥにサービスする新ＮＦエンティティに対応する少なくとも１つの新ＮＦ  ＩＤを使用するのかを示す情報を受信することと、
を有する方法を実行するように動作可能である、ソースモビリティ管理エンティティ。
【発明の詳細な説明】
【技術分野】
【０００１】
ここで提示される実施形態は、モビリティ管理機能の変更の期間中にコアネットワーク内のターゲットモビリティ管理機能がネットワーク機能（NF）利用情報をソースモビリティ管理機能と通信するための、方法、ノード／機能エンティティ、コンピュータ及びコンピュータプログラムプロダクトに関連する。
【背景技術】
【０００２】
概して、ここで使用される全ての用語は、異なる意味が明確に与えられていない限り、及び／又は使用されている文脈から異なる意味が示唆されていない限り、関係する技術分野におけるそれらの通常の意味に従って解釈されるべきである。あるエレメント、装置、コンポーネント、手段、ステップなどへの全ての言及は、別段の明示的な記述の無い限り、それらエレメント、装置、コンポーネント、手段、ステップなどの少なくとも１つのインスタンスへの言及としてオープンに解釈されるべきである。あるステップが他のステップに後続し若しくは先行するものとして明示的に説明されておらず、及び／又は、あるステップが他のステップに後続し若しくは先行しなければならないことが暗黙の了解でない限り、ここで開示されるいかなる方法のステップも、開示された厳密な順序で実行されなくてよい。ここで開示される任意の実施形態の任意の特徴が、適切であるならば、他の任意の実施形態へ適用されてよい。同様に、任意の実施形態の任意の利点が、他のどの実施形態にも当てはまり得るものであり、逆もまたしかりである。包含される実施形態の他の目的、特徴及び利点が以下の説明から明らかとなるであろう。
【０００３】
３ＧＰＰ技術仕様（TS）23.502v15.1.0は、アクセス及びモビリティ管理機能（AMF）に伴うモビリティ登録手続を有しており、旧（ここでは"ソース"ということもある）AMFは、ユーザ機器（UE）により使用され新（ここでは"ターゲット"ということもある）AMFへ提供されるいくつかのネットワーク機能（NF）識別子（ID）（非限定的な例として、PCF ID又はSMSF IDなど）をその中に含めるかもしれない。新／ターゲットAMFは、過去に使用されたNFが依然としてUEに適しているかをチェックすることになり、適していない場合には新たなNF IDが選択され得る。
【０００４】
図１は、その登録手続（TS23.502v15.1.0 図4.2.2.2.2-1）を示している。登録手続のステップ5は次の通りである：
5．［条件により］旧AMFから新AMFへ：Namf_Communication_UEContextTransfer(SUPI, UE Context in AMF (表5.2.2.2.2-1の通り))に対する応答
旧AMFは、UEのSUPI及びMMコンテキストを含めることにより、Namf_Communication_UEContextTransferの呼び出しについて新AMFに対し応答を行う。
旧AMFが確立済みのPDUセッションに関する情報を保持する場合、旧AMFは、セッション管理機能（SMF）情報DNN、S-NSSAI(s)及びPDU Session IDを含める。
旧AMFがN3IWFに対するアクティブなNGAP UE-TNLAバインディングに関する情報を保持する場合、旧AMFは、当該NGAP UE-TNLAバインディングに関する情報を含める。
【０００５】
登録手続のステップ16は次の通りである：
16．［条件により］新AMFは第4.16.1.2節で定義された通りのポリシー関連付け確立（Policy Association Establishment）を実行する。緊急登録（Emergency Registration）については、本ステップはスキップされる。
新AMFがステップ5におけるAMF間モビリティの最中に受信される（V-）PCFにより識別されるポリシー及び課金機能（PCF）にコンタクトする場合、新AMFは、Npcf_AMPolicyControl Get操作に（V-）PCF IDを含めるものとする。このインジケーションは、初期登録手続の最中にはAMFにより含められない。
AMFがモビリティ制限（例えば、UEロケーション）を調整のためにPCFへ通知する場合、又はPCFがいくつかの条件（例えば、アプリケーション使用中、日時）に起因して自身でモビリティ制限を更新する場合、PCFは、更新されたモビリティ制限をAMFへ提供するものとする。
【０００６】
登録手続のステップ21は次の通りである：
21．［条件により］旧AMFから（V-）PCFへ：AMF開始型のポリシー関連付け終了（AMF-Initiated Policy Association Termination）
旧AMFが過去にPCFに対するポリシー関連付けを開始しており、旧AMFがPCF IDを新AMFへ移管しなかった（例えば、新AMFが異なるPLMN内にある）場合、旧AMFは、第4.16.3.2節において定義されている通り、AMF開始型のポリシー関連付け終了手続を実行して、PCFとの関連付けを削除する。
【０００７】
AMFは、以下に従ってPCF（新たなPCFの選択かPCFの再利用）との接続／関連付けを確立する。
［4.16.1  ポリシー関連付け確立］
［4.16.1.1  概要］
ポリシー関連付け確立のために３つのケースが考慮される：
1．UEによるネットワークに対する初期登録
2．ハンドオーバ手続中のPCF変更無しでのAMF再割当てと登録手続
3．ハンドオーバ手続中のPCF変更有りでのAMF再割当てと登録手続
【０００８】
図２は、選択された新たなPCFとのAMポリシー関連付け確立（TS23.502v15.1.0 図4.16.1.2-1）を示している。
【０００９】
4.16.1.2  選択された新たなPCFとのAMポリシー関連付け確立。この手続は、以下のシナリオを考慮している：
1．UEによるネットワークに対する初期登録
2．ハンドオーバ手続中のPCF変更有りでのAMF再割当てと登録手続
【００１０】
この手続は、ローミングシナリオ及び非ローミングシナリオの双方に関係する。
【００１１】
図３は、旧PCFとのAMポリシー関連付け確立（TS23.502v15.1.0 図4.16.1.3-1）を示している。
【００１２】
［旧PCFとのAMポリシー関連付け確立」
本手続は、ハンドオーバ手続中のPCF変更無しでのAMF再割当てと登録手続とを包含する状況に関係する。
【００１３】
この手続は、ローミングシナリオ及び非ローミングシナリオの双方に関係する。
【００１４】
図４は、NAS上でのショートメッセージサービス（SMS）をサポートする登録手続（TS23.502v15.1.0 図4.13.3.1-1）を示している。
【００１５】
以下は、AMFがいかにしてSMSFとの接続／関連付けを管理するかである。
【００１６】
［4.13.3.2  NAS上のSMSについての登録解除手続］
UEがNAS上でSMSを送受信することをもはや望んでいないことをUEがAMFへ指し示す（例えば、後続の登録要求（Registration Request）メッセージに"SMS supported"インジケーションを含めない）場合、又は、AMFがUEは登録解除されたものとみなし若しくはAMFがUE初期登録、加入取下げ若しくは5GSからEPSへのモビリティを示すUDMからの登録解除通知（Deregistration Notification）を受信した場合、AMFは、Nsmsf_SMService_Deactivateサービス操作を呼び出して、ローカルの構成に基づいいてSMSF上のSMSについてUEコンテキストのリリースをトリガする。AMFは、UEコンテキスト内に記憶しているSMSFアドレスを削除するか又は非アクティブ化し得る。SMSFは、UDMからNudm_UECM_Deregistration (SUPI, NF ID, Access Type)サービス操作を呼び出して、UEのSMSFアドレスを削除するようにUDMをトリガするものとする。UDMは、Nudr_DM_Update (SUPI, Subscription Data, SMS Subscription data, SMSF address)によって、UDR内のSMSFにおけるUEコンテキストを更新し得る。SMSFは、AMFアドレスを含むSMS用UEコンテキストをも除去する。
【発明の概要】
【００１７】
現在のところ、ソースモビリティ管理機能（例えば、ソースAMF）からターゲットモビリティ管理機能（例えば、ターゲットAMF）へ移動する場合に、ソースAMFがNFとの関連付けを終了させるべきか否かが定義されていないという状況が存在する。具体的には、初期登録又は初期PDUセッション確立の期間中にAMFによりいくつかのNFが選択された場合に、AMFとそれらNFとの間に長寿命の接続／関連付けが生成されることになる。NFとは、非限定的な例によれば、PCF及び／又はSMSFである（SMF変更は３ＧＰＰリリース１６に入るであろう）。
【００１８】
UEモビリティの期間中に、新／ターゲットAMFが選択される場合、旧／ソースAMFが選択済みの／旧NFに関連する情報、即ちPCF ID又はSMSF IDを新／ターゲットAMFへ提供しないならば、少なくともPCFのケースについて（SMSF変更は現在のところTSに入っていない）、旧／ソースAMFが接続／関連付けの解放について責任を有することが明確である。
【００１９】
一方で、旧／ソースAMFが例えばPCF ID及び／又はSMSF IDといった選択済みのNFに関連する情報を提供する状況では、新／ターゲットAMFは、１）旧／ソースAMFにより選択されたNFを再利用するか、又は２）UE及びPDUセッションにサービスするために新たなNFを選択するかのいずれかの決定を行い得る。しかしながら、NFが再利用されるか又は新たなNFが選択されるかに関わらず、旧／ソースAMFとNFとの間の長寿命の接続／関連付けの取り扱いが明確に特定されていない。
【００２０】
本開示のある観点及びそれらの実施形態は、上述した又は他の課題に対する解決策を提供する。
【００２１】
解決策として次のことを提案する：
1．旧／ソースAMFによりUE及びPDUセッションのために選択されたNF（例えば、SMSF、PCF、SMF）が再利用されることになるか否かを、新／ターゲットAMFが旧／ソースAMFへ通知することを可能にするための、AMF間モビリティ手続の期間中の新／ターゲットAMFと旧／ソースAMFとの間の仕組み。ターゲットAMFは、ターゲットAMFがいくつかのNFは再利用され他はそうでないことを示し得るように、各NFについて別個の指示を行ってよい。
2．再利用されない場合、旧／ソースAMFは、新／ターゲットAMFにより通知された後に、それらNFの接続／関連付けの解放を開始することについて責任を有する。
【００２２】
ここで開示した課題のうちの１つ以上を解決する多様な実施形態がここで提案される。
【００２３】
ある実施形態において、モビリティ管理機能の変更の期間中にコアネットワーク内のターゲットモビリティ管理機能がネットワーク機能（NF）利用情報をソースモビリティ管理機能と通信するための方法が提供される。前記方法は、前記ターゲットモビリティ管理機能により、前記ソースモビリティ管理機能から、ユーザ機器（UE）にサービスする旧ネットワーク機能（NF）に対応する少なくとも１つの旧NF識別子（ID）を受信すること、を含む。前記方法は、前記少なくとも１つの旧NF IDを使用するか又は前記旧NFと同じNFタイプの新NFに対応する少なくとも１つの新NF IDを使用するかを判定すること、をさらに含む。前記方法は、前記ターゲットモビリティ管理機能により、前記ソースモビリティ管理機能へ、前記ターゲットモビリティ管理機能が前記少なくとも１つの旧NF IDを使用するのか又は前記少なくとも１つの新NF IDを使用するのかを前記ソースモビリティ管理機能へ示す情報を通信することと、をさらに含む。
【００２４】
他の実施形態において、モビリティ管理機能の変更の期間中にネットワーク機能（NF）利用情報をソースモビリティ管理機能ノードと通信するためのターゲットモビリティ管理機能ノードが提供される。前記ターゲットモビリティ管理機能ノードは、１つ以上のプロセッサと、前記１つ以上のプロセッサにより実行可能な命令群を記憶するメモリと、を含む。前記ターゲットモビリティ管理機能ノードは、前記ターゲットモビリティ管理機能ノードにより、前記ソースモビリティ管理機能ノードから、ユーザ機器（UE）にサービスする旧ネットワーク機能（NF）に対応する少なくとも１つの旧NF識別子（ID）を受信することと、前記少なくとも１つの旧NF IDを使用するか又は前記旧NFと同じNFタイプの新NFに対応する少なくとも１つの新NF IDを使用するかを判定することと、前記ターゲットモビリティ管理機能ノードにより、前記ソースモビリティ管理機能ノードへ、前記ターゲットモビリティ管理機能ノードが前記少なくとも１つの旧NF IDを使用するのか又は前記少なくとも１つの新NF IDを使用するのかを前記ソースモビリティ管理機能ノードへ示す情報を通信することと、を有する方法を実行するように動作可能である。
【００２５】
他の実施形態において、モビリティ管理機能の変更の期間中にコアネットワーク内のソースモビリティ管理機能がネットワーク機能（NF）利用情報をターゲットモビリティ管理機能から受信するための方法が提供される。前記方法は、前記ソースモビリティ管理機能により、前記ターゲットモビリティ管理機能へ、ユーザ機器（UE）にサービスする旧ネットワーク機能（NF）に対応する少なくとも１つの旧NF識別子（ID）を送信すること、を含む。前記方法は、前記ソースモビリティ管理機能により、前記ターゲットモビリティ管理機能から、前記ターゲットモビリティ管理機能が前記少なくとも１つの旧NF IDを使用するのか又は前記UEにサービスする新NFに対応する少なくとも１つの新NF IDを使用するのかを示す情報を受信すること、をさらに含む。
【００２６】
他の実施形態において、モビリティ管理機能の変更の期間中にネットワーク機能（NF）利用情報をターゲットモビリティ管理機能ノードから受信するためのソースモビリティ管理機能ノードが提供される。前記ソースモビリティ管理機能ノードは、１つ以上のプロセッサと、前記１つ以上のプロセッサにより実行可能な命令群を記憶するメモリと、を含み、それにより前ソースモビリティ管理機能ノードは、前記ソースモビリティ管理機能ノードにより、前記ターゲットモビリティ管理機能ノードへ、ユーザ機器（UE）にサービスする旧ネットワーク機能（NF）に対応する少なくとも１つの旧NF識別子（ID）を送信することと、前記ソースモビリティ管理機能ノードにより、前記ターゲットモビリティ管理機能ノードから、前記ターゲットモビリティ管理機能ノードが前記少なくとも１つの旧NF IDを使用するのか又は前記UEにサービスする新NFに対応する少なくとも１つの新NF IDを使用するのかを示す情報を受信することと、を有する方法を実行するように動作可能である。
【００２７】
ある実施形態は、次の技術的利点のうちの１つ以上を提供し得る。
【図面の簡単な説明】
【００２８】
次の添付図面を参照しながら、これより提案される解決策を例示のやり方で説明する：
【図１】登録手続を示している。
【図２】選択された新たなPCFとのAMポリシー関連付け確立を示している。
【図３】PCFとのポリシー関連付け確立を示している。
【図４】NAS上でのSMSをサポートする登録手続を示している。
【図５】本開示のいくつかの実施形態に係るセルラー通信ネットワーク５００の１つの例を示している。
【図６】ポイント間のリファレンスポイント／インタフェースと共に例示的な５Ｇネットワークアーキテクチャとして表されたワイヤレス通信システムを示している。
【図７】制御プレーンにおいてNF間でサービスベースのインタフェースを用いる５Ｇネットワークアーキテクチャの一例を示している。
【図８】準備フェーズ（Preparation Phase）を示している。
【図９】実行フェーズ（Execution Phase）を示している。
【図１０】CM-IDLEモードモビリティか又はCM-CONNECTEDモードモビリティかのいずれかについての汎用登録（General Registration）手続を示している。
【図１１】PCFとのポリシー関連付け確立手続を示している。
【図１２】いくつかの実施形態に係るソースモビリティ管理機能又はターゲットモビリティ管理機能の実装に適したネットワーク機能ノードの概略ブロック図である。
【図１３】本開示のいくつかの実施形態に係るネットワーク機能ノード１２００の仮想化された実施形態を示す概略ブロック図である。
【図１４】本開示のいくつかの他の実施形態に係るネットワーク機能ノード１２００の概略ブロック図である。
【図１５】ある実施形態に従ってモビリティ管理機能の変更の期間中にコアネットワーク内のターゲットモビリティ管理機能がNF利用情報をソースモビリティ管理機能と通信するための方法を示すフローチャートである。
【図１６】ある実施形態に係るソースモビリティ管理機能において実装される方法を示すフローチャートである。
【発明を実施するための形態】
【００２９】
ここで企図される実施形態のいくつかが、これより添付図面を参照しながらより十分に説明されるであろう。しかしながら、ここで開示される主題のスコープの範囲内に他の実施形態も含まれる。開示される主題は、ここで説示される実施形態のみに限定されるものとして解釈されるべきではなく、むしろ、それら実施形態は当業者へその主題のスコープを伝えるための例として提供される。［無線ノード］：ここで使用されるところでは、"無線ノード"は、"無線アクセスノード"か又は"ワイヤレスデバイス"かのいずれかである。
【００３０】
［無線アクセスノード］：ここで使用されるところでは、"無線アクセスノード"あるいは"無線ネットワークノード"は、信号をワイヤレスに送信し及び／又は受信するように動作する、セルラ通信ネットワークの無線アクセスネットワーク（RAN）内の任意のノードである。無線アクセスノードのいくつかの例は、限定ではないものの、基地局（例えば、３ＧＰＰ（Third Generation Partnership Project ）の第５世代（5G）NRネットワークにおける新無線（NR）基地局（gNB）、又は、３ＧＰＰ  LTE（Long Term Evolution）ネットワークにおける拡張若しくは進化型ノードB（eNB））、高電力若しくはマクロ基地局、低電力基地局（例えば、マイクロ基地局、ピコ基地局、若しくはホームeNBなど）、及びリレーノードを含む。
【００３１】
［コアネットワークノード］：ここで使用されるところでは、"コアネットワークノード"は、コアネットワーク内の任意のタイプのノードである。コアネットワークノードのいくつかの例は、例えば、モビリティ管理エンティティ（MME）、パケットデータネットワークゲートウェイ（P-GW）又はサービスケイパビリティエクスポージャ機能（SCEF）などを含む。
【００３２】
［ワイヤレスデバイス］：ここで使用されるところでは、"ワイヤレスデバイス"は、無線アクセスノードに対し信号をワイヤレスに送信し及び／又は受信することによりセルラ通信ネットワークへのアクセスを有する（即ち、それによりサービスされる）任意のタイプのデバイスである。ワイヤレスデバイスのいくつかの例は、限定ではないものの、３ＧＰＰネットワークにおけるユーザ機器（UE）、及びマシンタイプ通信（MTC）デバイスを含む。
【００３３】
［ネットワークノード］：ここで使用されるところでは、"ネットワークノード"は、セルラ通信ネットワーク／システムの無線アクセスネットワーク又はコアネットワークのいずれかの部分である任意のノードである。
【００３４】
なお、ここで与えられる説明は、３ＧＰＰセルラ通信システムに焦点を当てており、そのため、３ＧＰＰの専門用語又は３ＧＰＰの専門用語に類似する専門用語がしばしば使用される。しかしながら、ここで開示される概念は、３ＧＰＰシステムには限定されない。
【００３５】
なお、ここでの説明において"セル"との用語への言及がなされるかもしれないが、特に5G NRの概念に関して、セルの代わりにビームを使用してもよく、そのため、ここで説明される概念はセル及びビームの双方に等しく適用可能であることに留意することが重要である。
【００３６】
図５は、本開示のいくつかの実施形態に係るセルラー通信ネットワーク５００の１つの例を示している。ここで説明される実施形態において、セルラー通信ネットワーク５００は、5G NRネットワークである。この例において、セルラー通信ネットワーク５００は、対応するマクロセル５０４−１及び５０４−２を制御する基地局５０２−１及び５０２−２を含み、それらをLTEではeNBといい、5G NRではgNBという。基地局５０２−１及び５０２−２を、概して、ここではまとめて複数の基地局５０２といい、個別に基地局５０２という。同様に、マクロセル５０４−１及び５０４−２を、概して、ここではまとめて複数のマクロセル５０４といい、個別にマクロセル５０４という。セルラー通信ネットワーク５００は、対応するスモールセル５０８−１〜５０８−４を制御する複数の低電力ノード５０６−１〜５０６−４をも含んでよい。低電力ノード５０６−１〜５０６−４は、（ピコ若しくはフェムト基地局などの）スモール基地局又はリモート無線ヘッド（RRH）などであることができる。とりわけ、図示してはいないものの、スモールセル５０８−１〜５０８−４のうちの１つ以上は、代替的に基地局５０２により提供されてもよい。低電力ノード５０６−１〜５０６−4を、概して、ここではまとめて複数の低電力ノード５０６といい、個別に低電力ノード５０６という。同様に、スモールセル５０８−１〜５０８−4を、概して、ここではまとめて複数のスモールセル５０８といい、個別にスモールセル５０８という。基地局５０２（及び随意的に低電力ノード５０６）は、コアネットワーク５１０へ接続される。
【００３７】
基地局５０２及び低電力ノード５０６は、対応するセル５０４及び５０８内のワイヤレスデバイス５１２〜５１２−５へサービスを提供する。ワイヤレスデバイス５１２−１〜５１２−５を、概して、ここではまとめて複数のワイヤレスデバイス５１２といい、個別にワイヤレスデバイス５１２という。ワイヤレスデバイス５１２をUEということもある。
【００３８】
図６は、複数のコアネットワーク機能（NF）から構成される５Ｇネットワークアーキテクチャとして表される例示的なワイヤレス通信システムを示しており、任意の２つのNF間のインタラクションがポイントツーポイントのリファレンスポイント／インタフェースで表される。図６を図５のセルラー通信ネットワーク５００の１つの具体的な実装として見ることができる。
【００３９】
アクセス側から見ると、図６に示した5Gネットワークアーキテクチャは、無線アクセスネットワーク（RAN）又はアクセスネットワーク（AN）のいずれかへ接続される複数のユーザ機器（UE）に加えて、アクセス及びモビリティ管理機能（AMF）を含む。典型的には、R（AN）は、例えば進化型ノードB（eNB）又は５Ｇ基地局（gNB）などといった複数の基地局を含む。コアネットワーク側から見ると、図６に示した5GコアNFは、ネットワークスライス選択機能（NSSF）、認証サーバ機能（AUSF）、統一データ管理（UDM）、AMF、セッション管理機能（SMF）、ポリシー制御機能（PCF）及びアプリケーション機能（AF）を含む。
【００４０】
規範的な標準化における詳細な呼フローを開発するために、5Gネットワークアーキテクチャのリファレンスポイント表現が使用されている。N1リファレンスポイントは、UEとAMFとの間のシグナリングを搬送するために定義されている。ANとAMFとの間及びANとUPFとの間を接続するためのリファレンスポイントは、それぞれN2及びN3として定義されている。AMFとSMFとの間にはリファレンスポイントN11があり、これはSMFが少なくとも部分的にAMFにより制御されることを示唆する。N4はSMF及びUPFにより使用され、それによって、UPFをSMFにより生成される制御信号を用いて設定することができ、及びUPFはその状態をSMFへレポートすることができる。それぞれ、N9は、相異なるUPFの間の接続のためのリファレンスポイント、N14は、相異なるAMFの間を接続するリファレンスポイントである。N15及びN17は、PCFがそれぞれAMF及びSMPへポリシーを適用することから定義されている。N12は、AMFがUEの認証を実行するために要する。N8及びN10は、AMF及SMFのためにUEの加入データが必要とされることから定義されている。
【００４１】
5Gコアネットワークは、ユーザプレーンと制御プレーンとを分離することを狙っている。ユーザプレーンはユーザトラフィックを搬送する一方で、制御プレーンはネットワーク内のシグナリングを搬送する。図６では、UPFがユーザプレーン内にあり、他の全てのNF、即ちAMF、SMF、PCF、AF、AUSF及びUDMは制御プレーン内にある。ユーザプレーンと制御プレーンとの分離は、各プレーンのリソースが独立してスケーリングされるであろうことを保証する。また、それはUPFを制御プレーン機能とは別個に分散される形で配備することも可能にする。このアーキテクチャにおいて、UPFは、低レイテンシを要するいくつかのアプリケーションのためにUEとデータネットワークとの間のラウンドトリップ時間（RTT）を短縮するために、UEの非常に近くに配備されてもよい。
【００４２】
コア5Gネットワークアーキテクチャは、モジュール化された機能群からなる。例えば、AMF及びSMFは、制御プレーン内の独立した機能である。AMF及びSMFを分離することで、独立的な進化及びスケーリングが可能となる。PCF及びAUSFのような他の制御プレーン機能は、図６に示したように分離することができる。モジュール化機能設計は、5Gコアネットワークが多様なサービスを柔軟にサポートすることを可能にする。
【００４３】
各NFは、他のNFと直接的にインタラクションする。メッセージをあるNFから他のNFへルーティングするために中間的な機能を使用することは可能である。制御プレーンでは、２つのNFの間のインタラクションのセットをサービスとして定義することでその再利用が可能となっている。このサービスがモジュール性についてのサポートを可能にする。ユーザプレーンは、相異なるUPF間の転送動作といったインタラクションをサポートする。
【００４４】
図７は、図６の5Gネットワークアーキテクチャにおいて使用されるポイントツーポイントのリファレンスポイント／インタフェースの代わりに、制御プレーンにおいてNF間でサービスベースのインタフェースを使用する5Gネットワークアーキテクチャを示している。但し、図６を参照しながら上述したNF群は、図７に示したNF群に対応する。NFが他の承認されたNFへ提供するサービスなどは、サービスベースのインタフェースを通じて、承認されたNFへ露出され得る。図７では、サービスベースのインタフェースは、文字"N"とそれに続くNFの名称によって示されており、例えば、NamfはAMFのサービスベースのインタフェース向け、NsmfはSMFのサービスベースのインタフェース向け、などである。図７におけるネットワーク露出機能（NEF）及びネットワークリポジトリ機能（NRF）は、上で議論した図６には示されていいない。しかしながら、図６には明示的に示されていないものの、図６に示した全てのNFが必要に応じて図７のNEF及びNRFとインタラクションすることができることは明らかにしておくべきであろう。
【００４５】
図６及び図７に示したNFのいくつかの性質が以下の通りに説明されてもよい。AMFは、UEベースの認証、承認、モビリティ管理などを提供する。マルチアクセス技術を使用するUEであっても、基本的には単一のAMFへ接続され、なぜならAMFはアクセス技術には非依存だからである。SMFは、セッション管理に責任を有し、インターネットプロトコル（IP）アドレスをUEへ割り当てる。また、SMFは、ユーザプレーンのデータトランスファのためにUPFを選択して制御する。UEが複数のセッションを有する場合、それらを個別に管理し及び恐らくはセッションごとに異なる機能性を提供するために、相異なるSMFが各セッションに割り当てられてもよい。AFは、サービス品質（QｏS）をサポートするためにポリシー制御に責任を有するPCFへパケットフローに関する情報を提供する。その情報に基づいて、PCFは、モビリティ及びセッション管理についてのポリシーを判定して、AMF及びSMFを適切に動作させる。AUSFは、UEなどのために認証機能をサポートし、よってUEなどの認証のためのデータを記憶し、一方で、UDMは、UEの加入データを記憶する。データネットワーク（DN）は、5Gコアネットワークの一部ではなく、インターネットアクセス又は事業者サービスなどを提供する。
【００４６】
NFは、専用のハードウェア上のネットワークエレメントとして、専用のハードウェア上で稼働するソフトウェアインスタンスとして、又は例えばクラウドインフラストラクチャといった適切なプラットフォーム上でインスタンス化される仮想化機能としてのいずれかで実装され得る。NF群である、UPF、AMF、SMF、PCF、AF、AUSF及びUDMは、それぞれ、ユーザプレーン（UP）エンティティ、モビリティ管理（MM）エンティティ、セッション管理（SM）エンティティ、ポリシー及び課金（PC）エンティティ、アプリケーションエンティティ、認証サーバエンティティ、及び統一データ管理エンティティの固有の例である。
【００４７】
実施形態は、ソースモビリティ管理機能、非限定的な例でいえばソースアクセス及びモビリティ管理機能（AMF）と、ターゲットモビリティ管理機能、非限定的な例でいえばターゲットAMFとの間の、ソースモビリティ管理機能からターゲットモビリティ管理機能への変更の期間中の通信を高度化させる。その変更とは、例えば、ハンドオーバであってよい。ターゲットモビリティ管理機能は、ソースモビリティ管理機能により使用されていた旧ネットワーク機能がターゲットモビリティ管理機能により使用されることになるか、又は新たなネットワーク機能が使用されることになるかを、ソースモビリティ管理機能へ通知する。ターゲットモビリティ管理機能により新たなネットワーク機能が使用される場合、ソースモビリティ管理機能は、以前のネットワーク機能との関連付けを解除するための１つ以上の動作を行い得る。
【００４８】
実施形態は、広範囲のアプリケーションにおいて適用可能性を有し、非限定的な例でいえば、標準TS23.501及びTS23.502を含む。
【００４９】
１つの実施形態において、AMF変更を伴うCM-IDLE／CM-CONNECTEDモードのモビリティの期間中に、新／ターゲットAMFは、いずれかの旧NFが再利用されたかを旧／ソースAMFへ示すものとされ、あるいは、旧AMFが当該UEのための旧NFを識別する情報を提供した場合に、新たなNFが後続のAMFサービスでのUEのために選択されている。
【００５０】
１つの実施形態において、新NFが選択されたか又は旧NFが利用されるかに関するターゲットAMFとソースAMFとの間の通信をサポートするために、Namf_Communication_RegistrationCompleteNotifyサービス操作が以下の通り修正されてよい。
【００５１】
＜5.2.2.2.3 Namf_Communication_RegistrationCompleteNotifyサービス操作＞
サービス操作名：Namf_Communication_RegistrationCompleteNotify
説明：本サービス操作は、以前のUEコンテキストの移管がUEによるその成功裏の登録に帰結したことをコンシューマNFによりAMFへ通知するために使用される。UEコンテキストは、AMFにおいて非アクティブとしてマーク付けされる。
注１：この通知は、暗黙的な加入に対応する。
入力（必須）：5G-GUTI, Reason
入力（オプション）：（解放されるべきPDUセッションを示す）PDU Session ID(s)、［１つの実施形態において、本情報は、"NF変更関連インジケーション（非限定的な例でいうと、新PCF／SMSFが選択されたか又は旧PCF／SMSFが再利用されるか）"を含むように拡張され得る：］
出力（必須）：なし
出力（オプション）：なし
本サービス操作の使用例については、第4.2.2.2.2節のステップ10を参照されたい。コンシューマNF（AMF）は、この通知を受信した場合、UEコンテキスト情報を非アクティブとしてマーク付けし、なぜなら、UEコンテキストは成功裏にピアNFへ移管されており、UEがそこで成功裏に登録されたからである。AMFは、Namf_Communication_TransferComplete確認応答をコンシューマNFへ送信する。
【００５２】
１つの実施形態において、新NFが選択されたか又は旧NFが利用されるかに関するターゲット（新）AMFとソース（旧）AMFとの間の通信をサポートするために、Namf_Communication_N2InfoNotifyサービス操作が以下の通り修正されてよい。
【００５３】
＜5.2.2.2.10 amf_Communication_N2InfoNotifyサービス操作＞
サービス操作名：Namf_Communication_N2InfoNotify
説明：AMFは、本サービス操作を、具体的なN2メッセージ情報をその特定の情報の購読に（暗黙的に又は明示的に）加入しているNFへ向けて通知するために本サービス操作を使用する。
入力（必須）：AMF ID (GUAMI), N2 information
入力（オプション）：［１つの実施形態において、本情報は、"NF変更関連インジケーション（非限定的な例でいうと、新PCF／SMSFが選択されたか又は旧PCF／SMSFが再利用されるか）"を含むように拡張され得る］、通知されるN2 informationがセッション（例えば、PDUセッション）に関連する場合には、Session ID（例えば、PDU Session ID）
出力（必須）：なし
出力（オプション）：なし
【００５４】
１つの実施形態において、新NFが選択されたか又は旧NFが利用されるかに関するターゲット（新）AMFとソース（旧）AMFとの間の通信をサポートするために、Namf_Communication_CreateUEContextサービス操作が以下の通り修正されてよい。
【００５５】
＜5.2.2.2.11 Namf_Communication_CreateUEContextサービス操作＞
サービス操作名：Namf_Communication_CreateUEContext
説明：本サービス操作は、ハンドオーバ手続の期間中に新AMF内にUEコンテキストを生成するために旧AMFにより使用される。
入力（必須）：5G-GUTI, UE context of the identified UE、表5.2.2.2.2-1に記述されているように、UE contextは、SUPI, DRX parameters, AM policy information, PCF ID, UE network capability, used N1 security context information, 他のコンシューマNFによるイベントサブスクリプション、及びSM PDU Session IDsのリストと共に、PDUセッションを扱っているSMF、source to target RAN transparent containerを含むN2 information、handover completeについてのN2情報通知を受け取るためのS-AMFのEndpoint informationを含み得る。
入力（オプション）：allocated EBI information, PCF ID
出力（必須）：Cause, Target to Source transparent containerを含むN2 information, N2 SM information（セットアップリストになり損なったPDU Sessions及びN3 DL forwarding information）, handle for the UE context created, ［１つの実施形態において、本情報は、"NF変更関連インジケーション（即ち、新SMFが選択されたか又は旧SMFが再利用されるか）。"を含むように拡張され得る］
出力（オプション）：なし
注：HOのケースでは、5.2.2.2.10（NFがPCF又はSMSFである場合、より適当）か5.2.2.2.11（NFがSMFである場合、より適当）かのいずれかにおいて新たな変更を行うことができる。
【００５６】
UEのサービス操作は、例えば、CM-CONNECTEDモードモビリティ向けのハンドオーバ手続の準備フェーズ及び実行フェーズを含む多様な手続において使用されてよい。
【００５７】
図８は、4.9.1.3.2 準備フェーズを示している。実施形態のサポートにおいて、準備フェーズのステップ12が次のことを含むように更新され得る：
【００５８】
12．［条件により］T-AMFからS-AMFへ：
Namf_Communication_CreateUEContext Response(Target to Source transparent containerを含むS-AMFがHandover CommandをS-RANへ送信するために必要なN2 information, セットアップリストになり損なったPDU Sessions, N2 SM information (N3 DL forwarding Information))
AMFは、関与するSMFからのNsmf_PDUSession_UpdateSMContext応答メッセージを監督する。最大待ち時間の満了時に、又は全てのNsmf_PDUSession_UpdateSMContext Responseメッセージが受信されると、T-AMFは、Namf_Communication_CreateUEContext ResponseをS-AMFへ送信する。
［１つの実施形態において、本情報は、次のことを含むように更新され得る："S-AMF（ソースAMF）がステップ3において旧NF IDs（例えば、SMF IDs）を識別した場合、T-AMF（ターゲットAMF）は、それら旧NF IDs（例えば、SMF IDs）がターゲットAMFにより再利用されるのか、又はターゲットAMFにより新NF IDsが選択されるのか、を示して返すものとされる。"］
Target to Source transport containerは、T-RANから受信される。N2 SM Informationは、ステップ11ｆにおいてSMFから受信される。
【００５９】
図９は、4.9.1.3.3 実行フェーズを示している。実施形態のサポートにおいて、準備フェーズのステップ6ａが次のことを含むように更新され得る：
6a．［条件により］T-AMFからS-AMFへ：Namf_Communication_N2InfoNotify
T-AMFは、Namf_Communication_N2InfoNotifyを呼び出すことにより、T-RANから受信したN2ハンドオーバ通知についてS-AMFへ通知を行う。
［１つの実施形態において、本情報は、次のことを含むように更新され得る："S-AMFが準備フェーズのステップ3において選択したNF IDs（例えば、PCF ID及びSMSF IDsなど）を提供した場合、新AMFは、それらNF IDsが新AMFにより再利用されるのか、又は新ND IDsが新AMFにより選択／使用されるのか、を示して返すものとされる。"］
【００６０】
S-RAN内のリソースがいつ解放されるものとされるかを監督するためにS-AMFにおいてタイマが始動される。
【００６１】
ステップ14ａもまた、次のやり方で更新され得る：
14a．AMFからS-RANへ：UE Context Release Command()
ステップ6ａにおけるタイマが満了した後、AMFは、UE Context Release Commandを送信する。
［１つの実施形態において、本情報は、次のことを含むように更新され得る："準備フェーズのステップ12においてSMFの変更が示されたケースでは、S-AMFは、SMF内のリソースを解放するために、Nsmf_PDUSession_ReleaseSMContextサービス操作をも呼び出す。"］
14b．S-RANからAMFへ：UE Context Release Complete ()
ソースNG-RANは、UEに関連する自身のリソースを解放し、UE Context Release Complete()メッセージで応答する。
【００６２】
図１０は、CM-IDLEモードモビリティか又はCM-CONNECTEDモードモビリティかのいずれかについての5.1.1.1.1及び4.2.2.2.2 汎用登録手続を示している。
【００６３】
ステップ5．［条件により］旧AMFから新AMFへ：Namf_Communication_UEContextTransfer(SUPI, UE Context in AMF（表5.2.2.2.2-1の通り）)、又はUDSFから新AMFへ：Nudsf_Unstructured Data Management_Query()
ステップ4においてUDSFに対するクエリが行われた場合、UDSFは、確立済みのPDUセッションを含む関連するコンテキストと共にNudsf_Unstructured Data Management_Queryの呼び出しについて新AMFへ応答を行い、旧AMFはSMF information DNN, S-NSSAI(s)及びPDU Session ID, active NGAP UE-TNLA bindings to N3IWFを含め、旧AMFは、当該NGAP UE-TNLA bindingsに関する情報を含める。ステップ4において旧AMFに対するクエリが行われた場合、旧AMFは、UE's SUPI及びUE Contextを含めることにより、Namf_Communication_UEContextTransferの呼び出しについて新AMFに対し応答を行う。
旧AMFがestablished PDU Session(s)に関する情報を保持する場合、旧AMFは、SMF information, DNN(s), S-NSSAI(s)及びPDU Session ID(s)を含める。
旧AMFがactive NGAP UE-TNLA bindings to N3IWFに関する情報を保持する場合、旧AMFは、当該NGAP UE-TNLA bindingsに関する情報を含める。
旧AMFが登録要求NASメッセージの完全性チェックに失敗する場合、旧AMFは、完全性チェック失敗を示すものとする。
旧AMFがAM Policy Associationに関する情報を保持する場合、旧AMFは、policy control request trigger及びPCF IDを含むAM Policy Associationに関する情報を含める。ローミングのケースでは、V-PCF ID及びH-PCF IDが含められる。
【００６４】
実施形態のサポートにおいて、ステップ10は、次のことを含むように更新され得る：
10．［条件により］新AMFから旧AMFへ：Namf_Communication_RegistrationCompleteNotify()
AMFが変化した場合、新AMFは、Namf_Communication_RegistrationCompleteNotifyサービス操作を呼び出すことにより新AMFにおけるUEの登録が完了したことを旧AMFへ通知する。
認証／セキュリティ手続が失敗すると、登録は拒絶されるものとされ、新AMFは、旧AMFに対し拒絶インジケーション理由コード（reject indication reason code）と共にNamf_Communication_RegistrationCompleteNotifyサービス操作を呼び出す。旧AMFは、UEコンテキスト移管（UE context transfer）サービス操作が決して拒絶されないかのように続行する。
旧登録エリアにおいて使用されるS-NSSAIのうちの１つ以上にターゲット登録エリアにおいてサービスすることができない場合、新AMFは、新登録エリアにおいてどのPDUセッションをサポートすることができないかを判定する。新AMFは、旧AMFに対し、拒絶されたPDU Session ID及びreject cause（例えば、S-NSSAIがもはや利用不能である）を含めてNamf_Communication_RegistrationCompleteNotifyサービス操作を呼び出す。すると、新AMFは、それに応じて、PDUセッションステータスを修正する。旧AMFは、Nsmf_PDUSession_ReleaseSMContextサービス操作を呼び出すことにより、UEのSMコンテキストをローカルで解放するように、対応するSMFへ通知を行う。
［１つの実施形態において、本情報は、次のことを含むように更新され得る："旧AMFが選択済みの／旧NF IDs（例えば、PCF ID、SMSF IDs、...）を提供した場合、新AMFは、それらNF IDsが新AMFにより再利用されるのか、又は新ND IDsが新AMFにより選択されるのか、を示すものとされる。"］
Namf_Communication_RegistrationCompleteNotifyサービス操作の詳細については第5.2.2.2.3節を参照されたい。
【００６５】
実施形態のサポートにおいて、ステップ21は、次のことを含むように更新され得る:
21．［条件により］旧AMFから（V-）PCFへ：AMF-Initiated Policy Association Termination。
旧AMFが過去にPCFに対するポリシー関連付けを開始しており、旧AMFが［１つの実施形態において、本情報は、"選択済みの／旧NF IDs、例えばPCF ID"を含むように更新され得る］を新AMFへ移管しなかった（例えば、新AMFが異なるPLMN内にある）場合、旧AMFは、第4.16.3.2節において定義されている通り、AMF-Initiated Policy Association Termination手続を実行して、PCFとの関連付けを削除する［１つの実施形態において、本情報は、"及びPCF内のリソースを解放する"を含むように更新され得る］。
［１つの実施形態において、本情報は、次のことを含むように更新され得る："ソースAMFが選択済みの／旧NF IDsをターゲットAMFへ移管し、ターゲットAMFが選択済みの／旧NF IDsが再利用されるのか又は新たなNF IDsがターゲットAMFにより選択されるのかをステップ10（又はN2 HO手続の実行フェーズにおけるステップ6ａ）において返答した場合、ソースAMFは、第4.16.3.2節において定義されている通り、PCFのローカルでの解放かAMF-Initiated Policy Association Termination手続かのいずれかを実行して、PCFとの関連付けを削除する。
【００６６】
図１１は、4.16.1.3-1：旧PCFとのポリシー関連付け確立（Policy Association Establishment with the old PCF）手続を示している。実施形態のサポートにおいて、ステップ6a及び6bが次のやり方で追加され得る：
【００６７】
＜旧PCFとのAMポリシー関連付け確立＞
本手続は、ハンドオーバ手続中のPCF変更無しでのAMF再割当て及び登録手続の状況に関連する。
［１つの実施形態において、本情報は、次のことを含むように更新され得る："ステップ6a、6b、（登録手続又はHO手続において特定された通りに）新／ターゲットAMFから提供されたNF（例えば、PCF）再利用情報又はNF変更情報に基づき、旧AMFは、第4.16.3.2節において定義されている通りに、ポリシー関連付け終了手続を開始して、PCFとの関連付けを削除してよく、又はローカルでのPCFの解放を単に実行してもよい。"］
【００６８】
図１２は、本開示のいくつかの実施形態に係るソースモビリティ管理機能又はターゲットモビリティ管理機能の実装に適したネットワーク機能ノードの概略ブロック図である。ネットワーク機能ノード１２００は、例えば、コンピューティングデバイス又は他の処理デバイスであってよい。図示したように、ネットワーク機能ノード１２００は、１つ以上のプロセッサ１２０４（例えば、CPU（Central Processing Unit）、ASIC（Application Specific Integrated Circuit）、及び／又はFPGA（Field Programmable Gate Array）など）と、メモリ１２０６と、ネットワークインタフェース１２０８とを含む制御システム１２０２を含む。１つ以上のプロセッサ１２０４を、ここでは処理回路ともいう。加えて、ネットワーク機能ノード１２００は、いくつかの実施形態において、１つ以上の送信機１２１２及び１つ以上の受信機１２１４を各々含む１つ以上の無線ユニット１２１０を含み、それらは１つ以上のアンテナ１２１６へ連結される。無線ユニット１２１０は、無線インタフェース回路として言及されてもよく、その一部であってもよい。いくつかの実施形態において、無線ユニット１２１０は、制御システム１２０２の外部にあり、例えば有線接続（例えば、光ケーブル）を介して制御システム１２０２へ接続される。一方で、いくつかの実施形態において、無線ユニット１２１０及び潜在的にはアンテナ１２１６は、制御システム１２０２と一体化される。１つ以上のプロセッサ１２０４は、ここで説明したようなネットワーク機能ノード１２００の１つ以上の機能を提供するように動作する。いくつかの実施形態において、それら機能は、例えばメモリ１２０６内に記憶され、１つ以上のプロセッサ１２０４により実行されるソフトウェアで実装される。
【００６９】
図１３は、本開示のいくつかの実施形態に係るネットワーク機能ノード１２００の仮想化された実施形態を示す概略ブロック図である。この議論は、他のタイプのネットワークノードに等しく適用可能である。さらに、他のタイプのネットワークノードが類似の仮想化されたアーキテクチャを有していてもよい。
【００７０】
ここで使用されるところによれば、"仮想化された"無線アクセスノードとは、ネットワーク機能ノード１２００の機能性の少なくとも一部が仮想的なコンポーネントとして（例えば、ネットワーク内の物理的な処理ノード上で稼働する仮想マシンを介して）実装される、ネットワーク機能ノード１２００の実装である。図示したように、この例において、ネットワーク機能ノード１２００は、上述したような、１つ以上のプロセサ１２０４（例えば、CPU、ASIC、及び／又はFPGAなど）と、メモリ１２０６と、ネットワークインタフェース１２０８と、１つ以上のアンテナ１２１６へ連結された１つ以上の送信機１２１２及び１つ以上の受信機１２１４を各々含む１つ以上の無線ユニット１２１０と、を含む制御システム１２０２を含む。制御システム１２０２は、例えば光ケーブルなどを介して、無線ユニット１２１０へ接続される。制御システム１２０２は、ネットワークインタフェース１２０８を介して、ネットワーク１３０２へ連結されており又はネットワーク１３０２の一部として含まれる１つ以上の処理ノード１３００へ接続される。各処理ノード１３００は、１つ以上のプロセッサ１３０４（例えば、CPU、ASIC、及び／又はFPGAなど）と、メモリ１３０６と、ネットワークインタフェース１３０８とを含む。
【００７１】
この例において、ここで説明したネットワーク機能ノード１２００の機能１３１０は、１つ以上の処理ノード１３００に実装され、又は、任意の所望の形で制御システム１２０２及び１つ以上の処理ノード１３００をまたいで分散される。いくつかの具体的な実施形態では、ここで説明したネットワーク機能ノード１２００の機能１３１０のいくつか又は全てが、処理ノード１３００によりホスティングされる仮想環境内に実装される１つ以上の仮想マシンにより実行される仮想コンポーネントとして実装される。当業者により理解されるように、処理ノード１３００と制御システム１２０２との間の追加的なシグナリング又は通信が、所望の機能１３１０の少なくともいくつかを遂行するために使用される。とりわけ、いくつかの実施形態に制御システム１２０２は含まれなくてもよく、そのケースでは、無線ユニット１２１０が適切なネットワークインタフェースを介して処理ノード１３００と直接的に通信する。
【００７２】
いくつかの実施形態において、少なくとも１つのプロセッサにより実行された場合に、当該少なくとも１つのプロセッサに、ここで説明した実施形態のいずれかに従って、ネットワーク機能ノード１２００、又は、仮想環境においてネットワーク機能ノード１２００の機能１３１０のうちの１つ以上を実装するノード（例えば、処理ノード１３００）の機能性を遂行させる命令群、を含むコンピュータプログラムが提供される。いくつかの実施形態において、前述したコンピュータプログラムプロダクトを含む担体が提供される。当該担体は、電子信号、光信号、無線信号、又はコンピュータ読取可能な記憶媒体（例えば、メモリなどの、非一時的なコンピュータ読取可能な媒体）のうちの１つである。
【００７３】
図１４は、本開示のいくつかの他の実施形態に係るネットワーク機能ノード１２００の概略ブロック図である。ネットワーク機能ノード１２００は、１つ以上のモジュール１４０２を含み、その各々はソフトウェアで実装される。それらモジュール１４０２は、ターゲットAMF又はソースAMFに関わるものなど、ここで説明したネットワーク機能ノード１２００の機能性を提供する。
【００７４】
図１５は、ある実施形態に従ってモビリティ管理機能の変更の期間中にコアネットワーク内のターゲットAMFといったターゲットモビリティ管理機能がNF利用情報をソースAMFといったソースモビリティ管理機能と通信するための方法を示すフローチャートである。ターゲットモビリティ管理機能ノードは、ソースモビリティ管理機能ノードから、ユーザ機器（UE）にサービスする旧ネットワーク機能（NF）に対応する少なくとも１つの旧NF識別子（ID）を受信する（ブロック１５００）。旧NFは、例えば、旧SMF、旧SMSF、旧PCF、又は任意の他のNFを含んでよい。ターゲットモビリティ管理機能ノードは、上記少なくとも１つの旧NF IDを使用するか又は旧NFと同じNFタイプの新NFに対応する少なくとも１つの新NF IDを使用するかを判定する（ブロック１５０２）。新NFは、例えば、新SMF、新SMSF、新PCF、又は任意の他のNFを含んでよい。ターゲットモビリティ管理機能は、ソースモビリティ管理機能へ、ターゲットモビリティ管理機能が上記少なくとも１つの旧NF IDを使用するのか又は上記少なくとも１つの新NF IDを使用するのかをソースモビリティ管理機能へ示す情報を通信する（ブロック１５０４）。
【００７５】
図１６は、ある実施形態に係るソースAMFといったソースモビリティ管理機能において実装される方法を示すフローチャートである。ソースモビリティ管理機能は、ターゲットAMFといったターゲットモビリティ管理機能へ、ユーザ機器（UE）にサービスする旧ネットワーク機能（NF）に対応する少なくとも１つの旧NF識別子（ID）を送信する（ブロック１６００）。旧NFは、例えば、旧SMF、旧SMSF、旧PCF、又は任意の他のNFを含んでよい。ソースモビリティ管理機能は、ターゲットモビリティ管理機能から、ターゲットモビリティ管理機能が上記少なくとも１つの旧NF IDを使用するのか又はUEにサービスする新NFに対応する少なくとも１つの新NF IDを使用するのかを示す情報を受信する（ブロック１６０２）。新NFは、例えば、新SMF、新SMSF、新PCF、又は任意の他のNFを含んでよい。
【００７６】
ここで開示されるいかなる適切なステップ、方法、特徴、機能又は恩恵が、１つ以上の仮想的な装置の１つ以上の機能ユニット又はモジュールを通じて実行されてもよい。各仮想的な装置は、複数のそれら機能ユニットを含んでもよい。それら機能ユニットは、１つ以上のマイクロプロセッサ又はマイクロコントローラを含み得る処理回路、並びに、デジタル信号プロセッサ（DSP）及び特殊目的デジタルロジックなどを含み得る他のデジタルハードウェアを介して実装されてもよい。上記処理回路は、メモリ内に記憶されるプログラムコードを実行するように構成されてもよく、当該メモリは、読取専用メモリ（ROM）、ランダムアクセスメモリ（RAM）、キャッシュメモリ、フラッシュメモリデバイス、光学記憶デバイスなどといった、１つ又は複数のタイプのメモリを含み得る。メモリ内に記憶されるプログラムコードは、１つ以上の電気通信及び／又はデータ通信プロトコルを実行するためのプログラム命令、並びに、ここで説明される技法の１つ以上を遂行するための命令を含む。いくつかの実施形態において、上記処理回路は、本開示の１つ以上の実施形態に従って、それぞれの機能ユニットに対応する機能を実行させるために使用され得る。
【００７７】
図中の処理は本開示のある実施形態により実行される動作の具体的な順序を示しているかもしれないが、そうした順序は例示的なものであることが理解されるべきである（例えば、代替的な実施形態は、異なる順序で動作を実行してもよく、ある複数の動作を組合せてもよく、ある複数の動作を重複させるなどしてもよい）。
【００７８】
＜いくつかの実施形態＞
上述した実施形態のいくつかが以下に項別に分けられた形で摘示されてもよい。
【００７９】
項目１：
モビリティ管理機能エンティティの変更の期間中にコアネットワーク内のターゲットモビリティ管理機能エンティティがネットワーク機能（NF）利用情報をソースモビリティ管理機能エンティティと通信するための方法であって、
前記ターゲットモビリティ管理機能エンティティにより、前記ソースモビリティ管理機能エンティティから、ユーザ機器（UE）にサービスする旧NFエンティティに対応する少なくとも１つの旧NF識別子（ID）を受信することと、
前記少なくとも１つの旧NF IDを使用するか又は前記旧NFエンティティと同じNFタイプの新NFエンティティに対応する少なくとも１つの新NF IDを使用するかを判定することと、
前記ターゲットモビリティ管理機能エンティティにより、前記ソースモビリティ管理機能エンティティへ、前記ターゲットモビリティ管理機能エンティティが前記少なくとも１つの旧NF IDを使用するのか又は前記少なくとも１つの新NF IDを使用するのかを前記ソースモビリティ管理機能エンティティへ示す情報を通信することと、を含む方法。
【００８０】
項目２：
項目１に記載の方法であって、前記NFエンティティは、ショートメッセージサービス機能（SMSF）エンティティ、ポリシー制御機能（PCF）エンティティ、及びセッション管理機能（SMF）エンティティのうちの１つ以上を含む、方法。
【００８１】
項目３：
項目１に記載の方法であって、前記ターゲットモビリティ管理機能エンティティは、ターゲットアクセス及びモビリティ管理機能（AMF）エンティティを含み、前記ソースモビリティ管理機能エンティティは、ソースAMFエンティティを含む、方法。
【００８２】
項目４：
項目３に記載の方法であって、前記ターゲットモビリティ管理機能エンティティが前記少なくとも１つの旧NF IDを使用するのか又は前記少なくとも１つの新NF IDを使用するのかを前記ソースモビリティ管理機能エンティティへ示す前記情報を通信することは、
前記ターゲットAMFエンティティにより、前記ソースAMFエンティティへ、前記ターゲットAMFエンティティが前記少なくとも１つの旧NF IDを使用するのか又は前記少なくとも１つの新NF IDを使用するのかを前記ソースAMFエンティティへ示すNamf_Communication_CreateUEContext応答を送信すること、を含む、方法。
【００８３】
項目５：
項目４に記載の方法であって、Namf_Communication_CreateUEContextサービス操作を呼び出している間に前記Namf_Communication_CreateUEContext応答を生成すること、をさらに含む、方法。
【００８４】
項目６：
項目３に記載の方法であって、前記ターゲットAMFエンティティが前記少なくとも１つの旧NF IDを使用するのか又は前記少なくとも１つの新NF IDを使用するのかを前記ソースAMFエンティティへ示す前記情報を通信することは、
前記ターゲットAMFエンティティにより、無線アクセスノード（RAN）からハンドオーバ通知を受信することと、
前記ターゲットAMFエンティティにより、前記ハンドオーバ通知に応じて、前記ターゲットAMFエンティティが前記少なくとも１つの旧NF IDを使用するのか又は前記少なくとも１つの新NF IDを使用するのかを前記ソースAMFエンティティへ示すNamf_Communication_N2InfoNotifyサービス操作を呼び出すことと、を含む、方法。
【００８５】
項目７：
項目３に記載の方法であって、前記ターゲットAMFエンティティが前記少なくとも１つの旧NF IDを使用するのか又は前記少なくとも１つの新NF IDを使用するのかを前記ソースAMFエンティティへ示す前記情報を通信することは、
前記ターゲットAMFエンティティにより、前記ターゲットAMFエンティティが前記少なくとも１つの旧NF IDを使用するのか又は前記少なくとも１つの新NF IDを使用するのかを前記ソースAMFエンティティへ示すNamf_Communication_RegistrationCompleteNotifyサービス操作を呼び出すこと、を含む、方法。
【００８６】
項目８：
項目１に記載の方法であって、前記少なくとも１つの旧NF IDを使用するか又は前記旧NFエンティティと同じNFタイプの前記新NFエンティティに対応する前記少なくとも１つの新NF IDを使用するかを判定することは、前記少なくとも１つの旧NF IDを使用するか又は前記旧NFエンティティと同じNFタイプの前記新NFエンティティに対応する前記少なくとも１つの新NF IDを使用するかを判定するためにNFサービス発見機能を実行すること、を含む、方法。
【００８７】
項目９：
モビリティ管理機能エンティティの変更の期間中にコアネットワーク内のソースモビリティ管理機能エンティティがネットワーク機能（NF）利用情報をターゲットモビリティ管理機能エンティティから受信するための方法であって、
前記ソースモビリティ管理機能エンティティにより、前記ターゲットモビリティ管理機能エンティティへ、ユーザ機器（UE）にサービスする旧NFエンティティに対応する少なくとも１つの旧NF識別子（ID）を送信することと、
前記ソースモビリティ管理機能エンティティにより、前記ターゲットモビリティ管理機能エンティティから、前記ターゲットモビリティ管理機能エンティティが前記少なくとも１つの旧NF IDを使用するのか又は前記UEにサービスする新NFエンティティに対応する少なくとも１つの新NF IDを使用するのかを示す情報を受信することと、を含む方法。
【００８８】
項目１０：
項目９に記載の方法であって、前記NFエンティティは、ショートメッセージサービス機能（SMSF）エンティティ、ポリシー制御機能（PCF）エンティティ、及びセッション管理機能（SMF）エンティティのうちの１つ以上を含む、方法。
【００８９】
項目１１：
項目９に記載の方法であって、前記ターゲットモビリティ管理機能エンティティは、ターゲットアクセス及びモビリティ管理機能（AMF）エンティティを含み、前記ソースモビリティ管理機能エンティティは、ソースAMFエンティティを含む、方法。
【００９０】
項目１２：
項目１１に記載の方法であって、前記情報は、前記ターゲットAMFエンティティが新セッション管理機能（SMF）IDを使用していることを示し、
前記ソースAMFエンティティにより、旧SMFエンティティに対し、前記旧SMFエンティティ内の既存のセッション管理（SM）コンテキストを解放するためにNsmf_PDUSession_ReleaseSMContextサービス操作を呼び出すこと、をさらに含む、方法。
【００９１】
項目１３：
項目１１に記載の方法であって、前記情報は、前記ターゲットAMFエンティティが旧SMF IDを使用していることを示し、
前記ソースAMFエンティティによりローカルで、前記ソースAMFエンティティ内の既存のセッション管理（SM）コンテキストを解放するための削除を行うこと、をさらに含む、方法。
【００９２】
項目１４：
項目１１に記載の方法であって、前記情報は、前記ターゲットAMFエンティティが旧ポリシー制御機能（PCF）IDを使用していることを示し、
前記ソースAMFエンティティにより、前記旧PCF IDに対応する旧PCFのローカルでの解放を行うこと、をさらに含む、方法。
【００９３】
項目１５：
項目１４に記載の方法であって、前記情報は、前記ターゲットAMFエンティティが新PCF IDを利用していることを示し、
前記ソースAMFエンティティにより、PCFエンティティへ、Npcf_AMPolicyControl_Deleteサービス操作を送信すること、をさらに含む、方法。
【００９４】
項目１６：
項目１１に記載の方法であって、前記情報は、前記ターゲットAMFエンティティが旧SMSF IDを使用していることを示し、
前記ソースAMFエンティティにより、前記旧SMSF IDに対応する旧SMSFエンティティの関連付けコンテキストのローカルでの解放を行うこと、をさらに含む、方法。
【００９５】
項目１７：
項目１１に記載の方法であって、前記情報は、前記ターゲットAMFエンティティが新SMSF IDを利用していることを示し、
前記ソースAMFエンティティにより、旧SMSFエンティティへ、前記旧SMSFエンティティ上のSMS用のUEコンテキストの解放をトリガするためにNsmsf_SMService_Deactivateサービス操作を送信すること、をさらに含む、方法。
【００９６】
項目１８：
モビリティ管理機能エンティティの変更の期間中にネットワーク機能（NF）利用情報をソースモビリティ管理機能エンティティと通信するためのターゲットモビリティ管理機能エンティティであって、前記ターゲットモビリティ管理機能エンティティは、
１つ以上のプロセッサと、
前記１つ以上のプロセッサにより実行可能な命令群を記憶するメモリと、を備え、それにより前記ターゲットモビリティ管理機能エンティティは、
前記ターゲットモビリティ管理機能エンティティにより、前記ソースモビリティ管理機能エンティティから、ユーザ機器（UE）にサービスする旧NFエンティティに対応する少なくとも１つの旧NF識別子（ID）を受信することと、
前記少なくとも１つの旧NF IDを使用するか又は前記旧NFエンティティと同じNFタイプの新NFエンティティに対応する少なくとも１つの新NF IDを使用するかを判定することと、
前記ターゲットモビリティ管理機能エンティティにより、前記ソースモビリティ管理機能エンティティへ、前記ターゲットモビリティ管理機能エンティティが前記少なくとも１つの旧NF IDを使用するのか又は前記少なくとも１つの新NF IDを使用するのかを前記ソースモビリティ管理機能エンティティへ示す情報を通信することと、
を有する方法を実行するように動作可能である、ターゲットモビリティ管理機能エンティティ。
【００９７】
項目１９：
モビリティ管理機能エンティティの変更の期間中にネットワーク機能（NF）利用情報をターゲットモビリティ管理機能エンティティから受信するためのソースモビリティ管理機能エンティティであって、前記ソースモビリティ管理機能エンティティは、
１つ以上のプロセッサと、
前記１つ以上のプロセッサにより実行可能な命令群を記憶するメモリと、を備え、それにより前記ソースモビリティ管理機能エンティティは、
前記ソースモビリティ管理機能エンティティにより、前記ターゲットモビリティ管理機能エンティティへ、ユーザ機器（UE）にサービスする旧NFエンティティに対応する少なくとも１つの旧NF識別子（ID）を送信することと、
前記ソースモビリティ管理機能エンティティにより、前記ターゲットモビリティ管理機能エンティティから、前記ターゲットモビリティ管理機能エンティティが前記少なくとも１つの旧NF IDを使用するのか又は前記UEにサービスする新NFエンティティに対応する少なくとも１つの新NF IDを使用するのかを示す情報を受信することと、
を有する方法を実行するように動作可能である、ソースモビリティ管理エンティティ。
【００９８】
項目２０：
モビリティ管理機能エンティティの変更の期間中にソースモビリティ管理機能エンティティがネットワーク機能（NF）利用情報をターゲットモビリティ管理機能エンティティから受信するための方法を実行するためのネットワークエンティティの１つ以上のプロセッサにより実行された場合に、前記ネットワークエンティティに、
前記ソースモビリティ管理機能エンティティにより、前記ターゲットモビリティ管理機能エンティティへ、ユーザ機器（UE）にサービスする旧NFエンティティに対応する少なくとも１つの旧NF識別子（ID）を送信することと、
前記ソースモビリティ管理機能エンティティにより、前記ターゲットモビリティ管理機能エンティティから、前記ターゲットモビリティ管理機能エンティティが前記少なくとも１つの旧NF IDを使用するのか又は前記UEにサービスする新NFエンティティに対応する少なくとも１つの新NF IDを使用するのかを示す情報を受信することと、
を有する前記方法を実行させる、ソフトウェア命令群を記憶した非一時的なコンピュータ読取可能な媒体。
【００９９】
項目２１：
ネットワークエンティティの少なくとも１つのプロセッサにより実行された場合に、前記少なくとも１つのプロセッサに、
ソースモビリティ管理機能エンティティにより、ターゲットモビリティ管理機能エンティティへ、ユーザ機器（UE）にサービスする旧NFエンティティに対応する少なくとも１つの旧ネットワーク機能（NF）識別子（ID）を送信することと、
前記ソースモビリティ管理機能エンティティにより、前記ターゲットモビリティ管理機能エンティティから、前記ターゲットモビリティ管理機能エンティティが前記少なくとも１つの旧NF IDを使用するのか又は前記UEにサービスする新NFエンティティに対応する少なくとも１つの新NF IDを使用するのかを示す情報を受信することと、
を有する方法を実行させる命令群、を含むコンピュータプログラム。
【０１００】
項目２２：
項目２１に記載のコンピュータプログラムを含む担体であって、前記担体は、電子信号、光信号、無線信号、又はコンピュータ読取可能な記憶媒体のうちの１つである、担体。
【０１０１】
項目２３：
モビリティ管理機能エンティティの変更の期間中にネットワーク機能（NF）利用情報をソースモビリティ管理機能エンティティと通信するための方法を実行するためのネットワークエンティティの１つ以上のプロセッサにより実行された場合に、前記ネットワークエンティティに、
前記ソースモビリティ管理機能エンティティから、ユーザ機器（UE）にサービスする旧NFに対応する少なくとも１つの旧NF識別子（ID）を受信することと、
前記少なくとも１つの旧NF IDを使用するか又は前記旧NFエンティティと同じNFエンティティタイプの新NFエンティティに対応する少なくとも１つの新NF IDを使用するかを判定することと、
前記ソースモビリティ管理機能エンティティへ、前記ターゲットモビリティ管理機能エンティティが前記少なくとも１つの旧NF IDを使用するのか又は前記少なくとも１つの新NF IDを使用するのかを前記ソースモビリティ管理機能エンティティへ示す情報を通信することと、
を有する前記方法を実行させる、ソフトウェア命令群を記憶した非一時的なコンピュータ読取可能な媒体。
【０１０２】
項目２４：
ネットワークエンティティの少なくとも１つのプロセッサにより実行された場合に、前記少なくとも１つのプロセッサに、
ターゲットモビリティ管理機能エンティティにより、ソースモビリティ管理機能エンティティから、ユーザ機器（UE）にサービスする旧NFエンティティに対応する少なくとも１つの旧ネットワーク機能（NF）識別子（ID）を受信することと、
前記少なくとも１つの旧NF IDを使用するか又は前記旧NFエンティティと同じNFエンティティタイプの新NFエンティティに対応する少なくとも１つの新NF IDを使用するかを判定することと、
前記ターゲットモビリティ管理機能エンティティにより、前記ソースモビリティ管理機能エンティティへ、前記ターゲットモビリティ管理機能エンティティが前記少なくとも１つの旧NF IDを使用するのか又は前記少なくとも１つの新NF IDを使用するのかを前記ソースモビリティ管理機能エンティティへ示す情報を通信することと、
を有する方法を実行させる命令群、を含むコンピュータプログラム。
【０１０３】
項目２５：
項目２４に記載のコンピュータプログラムを含む担体であって、前記担体は、電子信号、光信号、無線信号、又はコンピュータ読取可能な記憶媒体のうちの１つである、担体。
【０１０４】
＜略語＞
以下の略語のうちの少なくともいくつかが本開示において使用されているかもしれない。略語の間で不整合がある場合には、上でそれがどのように使用されているかが優先されるべきである。以下で複数回挙示されている場合、最初に挙示されたものが後から挙示されたどれよりも優先されるべきである。
・  １ｘＲＴＴ          ＣＤＭＡ２０００  １ｘ無線送信技術
・  ２Ｇ                第二世代
・  ３Ｇ                第三世代
・  ３ＧＰＰ            第三世代パートナーシッププロジェクト
・  ４Ｇ                第四世代
・  ５Ｇ                第五世代  
・  ＡＢＳ              オールモーストブランクサブフレーム
・  ＡＣ                交流電流
・  ＡＦ                アプリケーション機能
・  ＡＭＦ              アクセス及びモビリティ管理機能
・  ＡＮ                アクセスネットワーク
・  ＡＰ                アクセスポイント
・  ＡＲＱ              自動再送要求
・  ＡＳＩＣ            特定用途向け集積回路
・  ＡＴＭ              非同期転送モード
・  ＡＵＳＦ            認証サーバ機能
・  ＡＷＧＮ            加法性白色ガウス雑音
・  ＢＣＣＨ            ブロードキャスト制御チャネル
・  ＢＣＨ              ブロードキャストチャネル
・  ＢＳ                基地局
・  ＢＳＣ              基地局コントローラ
・  ＢＴＳ              基地送受信局
・  ＢＷ                帯域幅
・  ＢＷＰ              帯域幅部分
・  ＣＡ                キャリアアグリゲーション
・  ＣＣ                コンポーネントキャリア
・  ＣＣＣＧ            共通制御チャネル
・  ＣＤ                コンパクトディスク
・  ＣＤＭＡ            符号分割多重アクセス
・  ＣＧＩ              セルグローバル識別子
・  ＣＩＲ              チャネルインパルス応答
・  ＣＯＴＳ            コマーシャル・オフ・ザ・シェルフ
・  ＣＰ                サイクリックプレフィクス
・  ＣＰＥ              顧客構内機器
・  ＣＰＩＣＨ          共通パイロットチャネル
・  ＣＰＩＣＨ  Ｅｃ／Ｎｏ  チップ別共通パイロットチャネル受信エネルギーを帯域内の電力密度で除算した商
・  ＣＰＵ              中央処理ユニット
・  ＣＱＩ              チャネル品質情報
・  ＲＮＴＩ            無線ネットワーク一時識別子
・  ＣＳＩ              チャネル状態情報
・  ＣＳＩ−ＲＳ        チャネル状態情報リファレンス信号
・  Ｄ２Ｄ              デバイスツーデバイス
・  ＤＡＳ              分散アンテナシステム
・  ＤＣ                直流電流
・  ＤＣＣＨ            専用制御チャネル
・  ＤＩＭＭ            デュアル・インライン・メモリ・モジュール
・  ＤＬ                ダウンリンク
・  ＤＭ                復調
・  ＤＭＲＳ            復調リファレンス信号
・  ＤＮ                データネットワーク
・  ＤＲＸ              不連続受信
・  ＤＳＰ              デジタル信号プロセッサ
・  ＤＴＸ              不連続送信
・  ＤＴＣＨ            専用トラフィックチャネル
・  ＤＵＴ              テスト下デバイス
・  ＤＶＤ              デジタルビデオディスク
・  Ｅ−ＣＩＤ          拡張セル識別子（測位方法）
・  ＥＥＰＲＯＭ        電気的消去・プログラム可能ＲＯＭ
・  ＥＣＧＩ            進化型セルグローバル識別子
・  ｅＭＴＣ            拡張マシンタイプ通信
・  ｅＮＢ              拡張又は進化型ノードＢ
・  ｅＰＤＣＣＨ        拡張物理ダウンリンク制御チャネル
・  ＥＰＲＯＭ          消去・プログラム可能ＲＯＭ
・  Ｅ−ＳＭＬＣ        進化型サービングモバイルロケーションセンタ
・  Ｅ−ＵＴＲＡ        進化型ユニバーサル地上無線アクセス
・  Ｅ−ＵＴＲＡＮ      進化型ユニバーサル地上無線アクセスネットワーク
・  ＦＤＤ              周波数分割複信
・  ＦＦＳ              将来の研究対象
・  ＦＰＧＡ            フィールドプログラマブルゲートアレイ
・  ＧＥＲＡＮ          ＧＳＭ進化無線アクセスネットワークのためのＧＳＭ（Global System for Mobile）通信拡張データレート
・  ＧＨｚ              ギガヘルツ
・  ｇＮＢ              新無線基地局
・  ＧＮＳＳ            全地球航法衛星システム
・  ＧＰＳ              全地球測位システム
・  ＧＳＭ              グローバル・システム・フォー・モバイル・コミュニケーションズ
・  ＨＡＲＱ            ハイブリッド自動再送要求
・  ＨＤＤＳ            ホログラフィック・デジタル・データ・ストレージ
・  ＨＤ−ＤＶＤ        高密度デジタル多用途ディスク
・  ＨＯ                ハンドオーバ
・  ＨＲＰＤ            高速パケットデータ
・  ＨＳＰＡ            高速パケットアクセス
・  Ｉ／Ｏ              入力／出力
・  ＩｏＴ              モノのインターネット
・  ＩＰ                インターネットプロトコル
・  ＬＡＮ              ローカルエリアネットワーク
・  ＬＥＥ              ラップトップ組込み機器
・  ＬＭＥ              ラップトップ搭載型機器
・  ＬＯＳ              見通し線
・  ＬＰＰ              ロングタームエボリューション測位プロトコル
・  ＬＴＥ              ロングタームエボリューション
・  Ｍ２Ｍ              マシンツーマシン
・  ＭＡＣ              メディアアクセス制御
・  ＭＡＮＯ            マネジメント及びオーケストレーション
・  ＭＢＭＳ            マルチメディアブロードキャストマルチキャストサービス
・  ＭＢＳＦＮ          マルチメディアブロードキャストマルチキャストサービス単一周波数ネットワーク
・  ＭＣＥ              マルチセル／マルチキャスト協調エンティティ
・  ＭＤＴ              ドライブテスト最小化
・  ＭＩＢ              マスタ情報ブロック
・  ＭＩＭＯ            複数入力複数出力
・  ＭＭＥ              モビリティ管理エンティティ
・  ＭＳＣ              モバイルスイッチングセンタ
・  ＭＳＲ              マルチ標準無線
・  ＭＴＣ              マシンタイプ通信
・  ＮＢ−ＩｏＴ        狭帯域ＩｏＴ
・  ＮＥＦ              ネットワーク露出機能
・  ＮＦ                ネットワーク機能
・  ＮＦＶ              ネットワーク機能仮想化
・  ＮＩＣ              ネットワークインタフェースコントローラ
・  ＮＰＤＣＣＨ        狭帯域物理ダウンリンク制御チャネル
・  ＮＲ                新無線
・  ＮＲＦ              ネットワークリポジトリ機能
・  ＮＳＳＦ            ネットワークスライス選択機能
・  Ｏ＆Ｍ              オペレーション及びメンテナンス
・  ＯＣＮＧ            直交周波数分割多重アクセスチャネル雑音生成器
・  ＯＦＤＭ            直交周波数分割多重
・  ＯＦＤＭＡ          直交周波数分割多元接続
・  ＯＳＳ              オペレーションサポートシステム
・  ＯＴＤＯＡ          観測到来時間差
・  ＯＴＴ              オーバーザトップ
・  ＰＢＣＨ            物理ブロードキャストチャネル
・  Ｐ−ＣＣＰＣＨ      プライマリ共通制御物理チャネル
・  ＰＣｅｌｌ          プライマリセル
・  ＰＣＦ              ポリシー制御機能
・  ＰＣＦＩＣＨ        物理制御フォーマットインジケータチャネル
・  ＰＤＡ              パーソナルデジタルアシスタント
・  ＰＤＣＣＨ          物理ダウンリンク制御チャネル
・  ＰＤＰ              プロファイル遅延プロファイル
・  ＰＤＳＣＨ          物理ダウンリンク共有チャネル
・  Ｐ−ＧＷ            パケットデータネットワークゲートウェイ
・  ＰＨＩＣＨ          物理ハイブリッド自動再送要求インジケータチャネル
・  ＰＬＭＮ            公衆地上移動体ネットワーク
・  ＰＭＩ              プリコーダ行列インジケータ
・  ＰＲＡＣＨ          物理ランダムアクセスチャネル
・  ＰＲＢ              物理リソースブロック
・  ＰＲＯＭ            プログラム可能ＲＯＭ
・  ＰＲＳ              測位リファレンス信号
・  ＰＳＳ              一次同期信号
・  ＰＳＴＮ            公衆交換電話網
・  ＰＵＣＣＨ          物理アップリンク制御チャネル
・  ＰＵＳＣＨ          物理アップリンク共有チャネル
・  ＱｏＳ              サービス品質
・  ＲＡＣＨ            ランダムアクセスチャネル
・  ＲＡＩＤ            独立ディスクの冗長アレイ
・  ＲＡＭ              ランダムアクセスメモリ
・  ＲＡＮ              無線アクセスネットワーク
・  ＲＡＴ              無線アクセス技術
・  ＲＥ                リソースエレメント
・  ＲＦ                無線周波数
・  ＲＬＭ              無線リンク管理
・  ＲＮＣ              無線ネットワークコントローラ
・  ＲＮＴＩ            無線ネットワーク一時識別子
・  ＲＯＭ              読み取り専用メモリ
・  ＲＲＣ              無線リソース制御
・  ＲＲＨ              リモート無線ヘッド
・  ＲＲＭ              無線リソース管理
・  ＲＲＵ              リモート無線ユニット
・  ＲＳ                リファレンス信号
・  ＲＳＣＰ            受信信号符号電力
・  ＲＳＲＰ            リファレンスシンボル受信電力／リファレンス信号受信電力
・  ＲＳＲＱ            リファレンスシンボル受信品質／リファレンス信号受信品質
・  ＲＳＳＩ            受信信号強度インジケータ
・  ＲＳＴＤ            リファレンス信号時間差
・  ＲＴＴ              ラウンドトリップ時間
・  ＲＵＩＭ            取外し可能ユーザアイデンティティ
・  ＳＣＥＦ            サービスケイパビリティ露出機能
・  ＳＣｅｌｌ          セカンダリセル
・  ＳＣＨ              同期チャネル
・  ＳＤＲＡＭ          シンクロナスダイナミックＲＡＭ
・  ＳＤＵ              サービスデータユニット
・  ＳＦＮ              システムフレーム番号
・  Ｓ−ＧＷ            サービングゲートウェイ
・  ＳＩ                システム情報
・  ＳＩＢ              システム情報ブロック
・  ＳＩＭ              加入者アイデンティティモジュール
・  ＳＭＦ              セッション管理機能
・  ＳＭＳＦ            ショートメッセージサービス機能
・  ＳＮＲ              信号対雑音比
・  ＳＯＣ              システムオンチップ
・  ＳＯＮ              自己組織化ネットワーク
・  ＳＯＮＥＴ          同期的光ネットワーキング
・  ＳＲＳ              サウンディングリファレンス信号
・  ＳＳ                同期信号
・  ＳＳＳ              二次同期信号
・  ＴＣＰ              伝送制御プロトコル
・  ＴＤＤ              時分割複信
・  ＴＤＯＡ            到来時間差
・  ＴＯＡ              到来時間
・  ＴＰＭＩ            送信プリコーダ行列インジケータ
・  ＴＲＰ              送信／受信ポイント
・  ＴＳＳ              三次同期信号
・  ＴＴＩ              送信時間インターバル
・  ＵＤＭ              統一データ管理
・  ＵＥ                ユーザ機器
・  ＵＬ                アップリンク
・  ＵＭＴＳ            ユニバーサルモバイルテレコミュニケーションシステム
・  ＵＳＢ              ユニバーサルシリアルバス
・  ＵＳＩＭ            ユニバーサル加入者アイデンティティモジュール
・  ＵＴＤＯＡ          アップリンク到来時間差
・  ＵＴＲＡ            ユニバーサル地上無線アクセス
・  ＵＴＲＡＮ          ユニバーサル地上無線アクセスネットワーク
・  Ｖ２Ｉ              車両対インフラストラクチャ
・  Ｖ２Ｖ              車両対車両
・  Ｖ２Ｘ              車両対エブリシング
・  ＶＭＭ              仮想マシンモニタ
・  ＶＮＥ              仮想ネットワークエレメント
・  ＶＮＦ              仮想ネットワーク機能
・  ＶｏＩＰ            ボイス・オーバー・インターネットプロトコル
・  ＷＡＮ              ワイドエリアネットワーク
・  ＷＣＤＭＡ          広帯域符号分割多元接続
・  ＷＤ                ワイヤレスデバイス
・  ＷｉＭａｘ          ワールドワイド・インターオペラビリティ・フォー・マイクロフェーブ・アクセス
・  ＷＬＡＮ            ワイヤレスローカルエリアネットワーク
【図１】
2021530129.tif 000003
【図２】
2021530129.tif 000004
【図３】
2021530129.tif 000005
【図４】
2021530129.tif 000006
【図５】
2021530129.tif 000007
【図６】
2021530129.tif 000008
【図７】
2021530129.tif 000009
【図８】
2021530129.tif 000010
【図９】
2021530129.tif 000011
【図１０】
2021530129.tif 000012
【図１１】
2021530129.tif 000013
【図１２】
2021530129.tif 000014
【図１３】
2021530129.tif 000015
【図１４】
2021530129.tif 000016
【図１５】
2021530129.tif 000017
【図１６】
2021530129.tif 000018
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
コアネットワーク内のターゲットアクセス及びモビリティ管理機能（ＡＭＦ）エンティティ（新ＡＭＦ）により実行される、ソースＡＭＦエンティティから前記ターゲットＡＭＦエンティティへのＡＭＦエンティティの変更の期間中にネットワーク機能（ＮＦ）利用情報を前記ソースＡＭＦエンティティ（旧ＡＭＦ）と通信する方法であって、
前記ターゲットＡＭＦエンティティにより、前記ソースＡＭＦエンティティから、ユーザ機器（ＵＥ）にサービスする旧ＮＦエンティティに対応する少なくとも１つの旧ＮＦ識別子（ＩＤ）を受信すること（１５００、５−１０）と、 
前記少なくとも１つの旧ＮＦ  ＩＤを使用するか又は前記旧ＮＦエンティティと同じＮＦタイプの新ＮＦエンティティに対応する少なくとも１つの新ＮＦ  ＩＤを使用するかを判定すること（１５０２、１０−１０）と、
前記ターゲットＡＭＦエンティティにより、前記ソースＡＭＦエンティティへ、前記ターゲットＡＭＦエンティティが前記少なくとも１つの旧ＮＦ  ＩＤを使用するのか又は前記少なくとも１つの新ＮＦ  ＩＤを使用するのかを前記ソースＡＭＦエンティティへ示す情報を通信すること（１５０４、１０−１０）と、
を含む方法。
【請求項２】
請求項１に記載の方法であって、前記ＮＦエンティティは、ショートメッセージサービス機能（ＳＭＳＦ）エンティティ、ポリシー制御機能（ＰＣＦ）エンティティ、及びセッション管理機能（ＳＭＦ）エンティティのうちの１つ以上を含む、方法。
【請求項３】
請求項１に記載の方法であって、前記ターゲットＡＭＦエンティティが前記少なくとも１つの旧ＮＦ  ＩＤを使用するのか又は前記少なくとも１つの新ＮＦ  ＩＤを使用するのかを前記ソースＡＭＦエンティティへ示す前記情報を通信することは、
前記ターゲットＡＭＦエンティティにより、前記ソースＡＭＦエンティティへ、前記ターゲットＡＭＦエンティティが前記少なくとも１つの旧ＮＦ  ＩＤを使用するのか又は前記少なくとも１つの新ＮＦ  ＩＤを使用するのかを前記ソースＡＭＦエンティティへ示すNamf_Communication_CreateUEContext応答を送信すること、
を含む、方法。
【請求項４】
請求項３に記載の方法であって、Namf_Communication_CreateUEContextサービス操作を呼び出しながら、前記Namf_Communication_CreateUEContext応答を生成すること、をさらに含む、方法。
【請求項５】
請求項１に記載の方法であって、前記ターゲットＡＭＦエンティティが前記少なくとも１つの旧ＮＦ  ＩＤを使用するのか又は前記少なくとも１つの新ＮＦ  ＩＤを使用するのかを前記ソースＡＭＦエンティティへ示す前記情報を通信することは、
前記ターゲットＡＭＦエンティティにより、無線アクセスノード（ＲＡＮ）からハンドオーバ通知を受信することと、
前記ターゲットＡＭＦエンティティにより、前記ハンドオーバ通知に応じて、前記ターゲットＡＭＦエンティティが前記少なくとも１つの旧ＮＦ  ＩＤを使用するのか又は前記少なくとも１つの新ＮＦ  ＩＤを使用するのかを前記ソースＡＭＦエンティティへ示すNamf_Communication_N2InfoNotifyサービス操作を呼び出すことと、
を含む、方法。
【請求項６】
請求項１に記載の方法であって、前記ターゲットＡＭＦエンティティが前記少なくとも１つの旧ＮＦ  ＩＤを使用するのか又は前記少なくとも１つの新ＮＦ  ＩＤを使用するのかを前記ソースＡＭＦエンティティへ示す前記情報を通信することは、
前記ターゲットＡＭＦエンティティにより、前記ターゲットＡＭＦエンティティが前記少なくとも１つの旧ＮＦ  ＩＤを使用するのか又は前記少なくとも１つの新ＮＦ  ＩＤを使用するのかを前記ソースＡＭＦエンティティへ示すNamf_Communication_RegistrationCompleteNotifyサービス操作を呼び出すこと、
を含む、方法。
【請求項７】
請求項１に記載の方法であって、前記少なくとも１つの旧ＮＦ  ＩＤを使用するか又は前記旧ＮＦエンティティと同じＮＦタイプの前記新ＮＦエンティティに対応する前記少なくとも１つの新ＮＦ  ＩＤを使用するかを判定することは、前記少なくとも１つの旧ＮＦ  ＩＤを使用するか又は前記旧ＮＦエンティティと同じＮＦタイプの前記新ＮＦエンティティに対応する前記少なくとも１つの新ＮＦ  ＩＤを使用するかを判定するためにＮＦサービス発見機能を実行すること、を含む、方法。
【請求項８】
コアネットワーク内のソースアクセス及びモビリティ管理機能（ＡＭＦ）エンティティ（旧ＡＭＦ）により実行される、前記ソースＡＭＦエンティティからターゲットＡＭＦエンティティへのＡＭＦエンティティの変更の期間中にネットワーク機能（ＮＦ）利用情報を前記ターゲットＡＭＦエンティティ（新ＡＭＦ）から受信する方法であって、
前記ソースＡＭＦエンティティにより、前記ターゲットＡＭＦエンティティへ、ユーザ機器（ＵＥ）にサービスする旧ＮＦエンティティに対応する少なくとも１つの旧ＮＦ識別子（ＩＤ）を送信することと、
前記ソースＡＭＦエンティティにより、前記ターゲットＡＭＦエンティティから、前記ターゲットＡＭＦエンティティが前記少なくとも１つの旧ＮＦ  ＩＤを使用するのか又は前記ＵＥにサービスする新ＮＦに対応する少なくとも１つの新ＮＦ  ＩＤを使用するのかを示す情報を受信することと、
を含む方法。
【請求項９】
請求項８に記載の方法であって、前記ＮＦエンティティは、ショートメッセージサービス機能（ＳＭＳＦ）エンティティ、ポリシー制御機能（ＰＣＦ）エンティティ、及びセッション管理機能（ＳＭＦ）エンティティのうちの１つ以上を含む、方法。
【請求項１０】
請求項８に記載の方法であって、前記情報は、前記ターゲットＡＭＦエンティティが新セッション管理機能（ＳＭＦ）ＩＤを使用していることを示し、
前記ソースＡＭＦエンティティにより、旧ＳＭＦエンティティに対し、前記旧ＳＭＦエンティティ内の既存のセッション管理（ＳＭ）コンテキストを解放するためにNsmf_PDUSession_ReleaseSMContextサービス操作を呼び出すこと、
をさらに含む、方法。
【請求項１１】
請求項８に記載の方法であって、前記情報は、前記ターゲットＡＭＦエンティティが旧ＳＭＦ  ＩＤを使用していることを示し、
前記ソースＡＭＦエンティティによりローカルで、前記ソースＡＭＦエンティティ内の既存のセッション管理（ＳＭ）コンテキストを解放するための削除を行うこと、
をさらに含む、方法。
【請求項１２】
請求項８に記載の方法であって、前記情報は、前記ターゲットＡＭＦエンティティが旧ポリシー制御機能（ＰＣＦ）ＩＤを使用していることを示し、
前記ソースＡＭＦエンティティにより、前記旧ＰＣＦ  ＩＤに対応する旧ＰＣＦエンティティのローカルでの解放を行うこと、
をさらに含む、方法。
【請求項１３】
請求項１２に記載の方法であって、前記情報は、前記ターゲットＡＭＦエンティティが新ＰＣＦ  ＩＤを利用していることを示し、
前記ソースＡＭＦエンティティにより、ＰＣＦエンティティへ、Npcf_AMPolicyControl_Deleteサービス操作を送信すること、
をさらに含む、方法。
【請求項１４】
請求項８に記載の方法であって、前記情報は、前記ターゲットＡＭＦエンティティが旧ＳＭＳＦ  ＩＤを使用していることを示し、
前記ソースＡＭＦエンティティにより、前記旧ＳＭＳＦ  ＩＤに対応する旧ＳＭＳＦエンティティの関連付けコンテキストのローカルでの解放を行うこと、
をさらに含む、方法。
【請求項１５】
請求項８に記載の方法であって、前記情報は、前記ターゲットＡＭＦエンティティが新ＳＭＳＦ  ＩＤを利用していることを示し、
前記ソースＡＭＦエンティティにより、旧ＳＭＳＦエンティティへ、前記旧ＳＭＳＦエンティティ上のＳＭＳ用のＵＥコンテキストの解放をトリガするためにNsmsf_SMService_Deactivateサービス操作を送信すること、
をさらに含む、方法。
【請求項１６】
ソースアクセス及びモビリティ管理機能（ＡＭＦ）エンティティからターゲットＡＭＦエンティティへのＡＭＦエンティティの変更の期間中にネットワーク機能（ＮＦ）利用情報を前記ソースＡＭＦエンティティ（旧ＡＭＦ）と通信するための前記ターゲットＡＭＦエンティティ（新ＡＭＦ）であって、前記ターゲットＡＭＦエンティティは、
１つ以上のプロセッサと、
前記１つ以上のプロセッサにより実行可能な命令群を記憶するメモリと、を備え、それにより前記ターゲットＡＭＦエンティティは、
前記ターゲットＡＭＦエンティティにより、前記ソースＡＭＦエンティティから、ユーザ機器（ＵＥ）にサービスする旧ＮＦエンティティに対応する少なくとも１つの旧ＮＦ識別子（ＩＤ）を受信することと、
前記少なくとも１つの旧ＮＦ  ＩＤを使用するか又は前記旧ＮＦエンティティと同じＮＦタイプの新ＮＦエンティティに対応する少なくとも１つの新ＮＦ  ＩＤを使用するかを判定することと、
前記ターゲットＡＭＦエンティティにより、前記ソースＡＭＦエンティティへ、前記ターゲットＡＭＦエンティティが前記少なくとも１つの旧ＮＦ  ＩＤを使用するのか又は前記少なくとも１つの新ＮＦ  ＩＤを使用するのかを前記ソースＡＭＦエンティティへ示す情報を通信することと、
を有する方法を実行するように動作可能である、ターゲットＡＭＦエンティティ。
【請求項１７】
ソースアクセス及びモビリティ管理機能（ＡＭＦ）エンティティからターゲットＡＭＦエンティティへのＡＭＦエンティティの変更の期間中にネットワーク機能（ＮＦ）利用情報を前記ターゲットＡＭＦエンティティ（新ＡＭＦ）から受信するための前記ソースＡＭＦエンティティ（旧ＡＭＦ）であって、前記ソースＡＭＦエンティティは、
１つ以上のプロセッサと、
前記１つ以上のプロセッサにより実行可能な命令群を記憶するメモリと、を備え、それにより前ソースＡＭＦエンティティは、
前記ソースＡＭＦエンティティにより、前記ターゲットＡＭＦエンティティへ、ユーザ機器（ＵＥ）にサービスする旧ＮＦエンティティに対応する少なくとも１つの旧ＮＦ識別子（ＩＤ）を送信することと、
前記ソースＡＭＦエンティティにより、前記ターゲットＡＭＦエンティティから、前記ターゲットＡＭＦエンティティが前記少なくとも１つの旧ＮＦ  ＩＤを使用するのか又は前記ＵＥにサービスする新ＮＦエンティティに対応する少なくとも１つの新ＮＦ  ＩＤを使用するのかを示す情報を受信することと、
を有する方法を実行するように動作可能である、ソースＡＭＦエンティティ。
【国際調査報告】
2021530129.tif 000019
2021530129.tif 000020